(57)【特許請求の範囲】
【請求項１】
アソシエーション確立方法であって、
アクセスポイント（AP）により、トリガフレームをブロードキャストするステップであって、前記トリガフレームは、1つ以上のアソシエーションされていないステーション（STA）を始動して上りリンクデータ伝送を行わせるため、かつ前記1つ以上のアソシエーションされていないSTAがランダムアクセスするための1つ以上の利用可能なサブチャネルを示すために使用される、ステップと、
前記APにより、前記1つ以上のアソシエーションされていないSTAによって取得された利用可能なサブチャネル上で送信された1つ以上のアソシエーション要求メッセージを受信するステップと、
前記APにより、マルチブロック確認応答（M-BA）フレームをブロードキャストするステップであって、前記M-BAフレームは、1つ以上のアソシエーション確認応答情報を含み、1つのアソシエーション確認応答情報は、前記アソシエーション要求メッセージにおける1つのアソシエーション要求メッセージの確認応答情報である、ステップと、
を含み、
前記1つのアソシエーション確認応答情報は、トラフィック識別子情報サブフィールドを含み、前記トラフィック識別子情報サブフィールドは、ダミーのアソシエーション識別子を含み、前記ダミーのアソシエーション識別子は、前記1つのアソシエーション確認応答情報が前記アソシエーション要求メッセージの前記確認応答情報であることを示すために使用され、前記1つのアソシエーション確認応答情報は、前記1つ以上のアソシエーションされていないSTAにおける1つのアソシエーションされていないSTAの媒体アクセス制御（MAC）アドレスを含む方法。
【請求項２】
アソシエーション確立方法であって、
アソシエーションされていないステーション（STA）により、アクセスポイント（AP）がブロードキャストしたトリガフレームを受信するステップであって、前記トリガフレームは、1つ以上のアソシエーションされていないSTAを始動して上りリンクデータ伝送を行わせるため、かつ前記1つ以上のアソシエーションされていないSTAがランダムアクセスするための1つ以上の利用可能なサブチャネルを示すために使用される、ステップと、
前記アソシエーションされていないSTAにより、前記1つ以上のアソシエーションされていないSTAが取得した1つ以上の利用可能なサブチャネル上でアソシエーション要求メッセージを送信するステップと、
前記アソシエーションされていないSTAにより、マルチブロック確認応答（M-BA）フレームを受信するステップであって、前記M-BAフレームは、1つ以上のアソシエーション確認応答情報を含み、1つのアソシエーション確認応答情報は、前記アソシエーション要求メッセージの確認応答情報である、ステップと、
を含み、
前記1つのアソシエーション確認応答情報は、トラフィック識別子情報サブフィールドを含み、前記トラフィック識別子情報サブフィールドは、ダミーのアソシエーション識別子を含み、前記ダミーのアソシエーション識別子は、前記1つのアソシエーション確認応答情報が前記アソシエーション要求メッセージの前記確認応答情報であることを示すために使用され、前記1つのアソシエーション確認応答情報は、前記アソシエーションされていないSTAの媒体アクセス制御（MAC）アドレスを含む方法。
【請求項３】
前記ダミーのアソシエーション識別子は、11ビットを占有する、請求項1または2に記載の方法。
【請求項４】
前記ダミーのアソシエーション識別子は、特殊AIDである、請求項3に記載の方法。
【請求項５】
前記MACアドレスは、6オクテットを占有する、請求項1から4のいずれか一項に記載の方法。
【請求項６】
アソシエーション確立装置であって、
トリガフレームをブロードキャストするように構成されたトリガフレームブロードキャストモジュールであって、前記トリガフレームは、1つ以上のアソシエーションされていないステーション（STA）を始動して上りリンクデータ伝送を行わせるため、かつ前記1つ以上のアソシエーションされていないSTAがランダムアクセスするための1つ以上の利用可能なサブチャネルを示すために使用される、トリガフレームブロードキャストモジュールと、
前記1つ以上のアソシエーションされていないSTAによって取得された利用可能なサブチャネル上で送信された1つ以上のアソシエーション要求メッセージを受信するように構成されたアソシエーション要求メッセージ受信モジュールと、
マルチブロック確認応答（M-BA）フレームをブロードキャストするように構成されたM-BAフレームブロードキャストモジュールであって、前記M-BAフレームは、1つ以上のアソシエーション確認応答情報を含み、1つのアソシエーション確認応答情報は、1つ以上のアソシエーション要求メッセージにおける前記アソシエーション要求メッセージの確認応答情報である、M-BAフレームブロードキャストモジュールと、
を備え、
前記1つのアソシエーション確認応答情報は、トラフィック識別子情報サブフィールドを含み、前記トラフィック識別子情報サブフィールドは、ダミーのアソシエーション識別子を含み、前記ダミーのアソシエーション識別子は、前記1つのアソシエーション確認応答情報が前記アソシエーション要求メッセージの前記確認応答情報であることを示すために使用され、前記1つのアソシエーション確認応答情報は、前記1つ以上のアソシエーションされていないSTAにおける1つのアソシエーションされていないSTAの媒体アクセス制御（MAC）アドレスを含む装置。
【請求項７】
アソシエーション確立装置であって、
アクセスポイント（AP）がブロードキャストしたトリガフレームを受信するように構成されたトリガフレーム受信モジュールであって、前記トリガフレームは、1つ以上のアソシエーションされていないステーション（STA）を始動して上りリンクデータ伝送を行わせるため、かつ前記1つ以上のアソシエーションされていないSTAがランダムアクセスするための1つ以上の利用可能なサブチャネルを示すために使用される、トリガフレーム受信ジュールと、
前記装置によって取得された1つ以上の利用可能なサブチャネル上でアソシエーション要求メッセージを送信するように構成されたアソシエーション要求メッセージ送信モジュールと、
マルチブロック確認応答（M-BA）フレームを受信するように構成されたM-BAフレーム受信モジュールであって、前記M-BAフレームは、1つ以上のアソシエーション確認応答情報を含み、1つのアソシエーション確認応答情報は、前記アソシエーション要求メッセージの確認応答情報である、M-BAフレーム受信モジュールと、
を備え、
前記1つのアソシエーション確認応答情報は、トラフィック識別子情報サブフィールドを含み、前記トラフィック識別子情報サブフィールドは、ダミーのアソシエーション識別子を含み、前記ダミーのアソシエーション識別子は、前記1つのアソシエーション確認応答情報が前記アソシエーション要求メッセージの前記確認応答情報であることを示すために使用され、前記アソシエーション確認応答情報は、前記装置の媒体アクセス制御（MAC）アドレスを含む装置。
【請求項８】
前記ダミーのアソシエーション識別子は、11ビットを占有する、請求項6または7に記載の装置。
【請求項９】
前記ダミーのアソシエーション識別子は、特殊AIDである、請求項8に記載の装置。
【請求項１０】
前記MACアドレスは、6オクテットを占有する、請求項6から9のいずれか一項に記載の装置。
【発明の詳細な説明】
【技術分野】
【０００１】
本出願は、2015年7月2日に中国専利局に出願された「ASSOCIATION ESTABLISHMENT METHOD AND APPARATUS」と題する国際出願第CN2015/083228号の優先権を主張するものであり、参照により、上記国際出願の内容全体を本願明細書に援用する。
【０００２】
本発明の各実施形態は、無線通信の分野に関し、詳細には、アソシエーション確立方法および装置に関する。
【背景技術】
【０００３】
直交周波数分割多元接続（Orthogonal Frequency Division Multiple Access、OFDMA）技術が発展するにつれて、現在の無線通信システムは、複数のステーション（Station、略称STA）による同時データ伝送を既にサポートできるようになった。複数のSTAが、OFDMA技術を用いてアクセスポイント（Access Point、略称AP）に情報を送信する場合、その情報は、制御フレーム、管理フレーム、または普通のデータフレームであり得る。APは、確認応答メッセージを、マルチブロック確認応答（Multi-Block Acknowledgement、略称M-BA）フレーム構造の形態で、複数のステーションにブロードキャストすることができる。図1は、従来技術によるM-BAフレームの概略的な構成図である。図1に示すように、M-BAフレームは、1つ以上のブロック確認応答／確認応答情報を含む。従来技術では、ブロック確認応答／確認応答情報のそれぞれが確認応答のために1つのSTAに送信される。通常、APが、ただ1つのSTAによって送信された単一の媒体アクセス制御プロトコルデータユニット（medium access control protocol data unit、略称MPDU）に対する確認応答メッセージを送信する場合、ブロック確認応答／確認応答情報は確認応答情報である。APが、ただ1つのSTAによって送信されたアグリゲート媒体アクセス制御プロトコルデータユニット（aggregate medium access control protocol data unit、略称A-MPDU）に対する確認応答メッセージを送信する場合、ブロック確認応答／確認応答情報はブロック確認応答情報である。ブロック確認応答／確認応答情報のそれぞれは、1つのアソシエーション識別子（Association Identifier、略称AID）を含む。各AIDは、APによってSTAに割り当てられた一意識別子である。この識別子は、STAを識別するために使用される。このことは、確認応答情報がAIDによって識別されるSTAへAPによって送信されることを示す。本明細書では、APは、STAとのアソシエーションを確立する際に、AIDをSTAに割り当てる。
【０００４】
従来技術では、APがOFDMAによって複数のSTAとのアソシエーションを確立するプロセスは以下の通りである：まず、APは下りリンクトリガフレーム（Downlink Trigger）をブロードキャストする。下りリンクトリガフレームは、リソース割り当て指示ビットを使用して、アソシエーション要求メッセージを送信するために複数のSTAによって使用されるサブチャネルを示す。次に、複数のSTAは、ランダムバックオフアルゴリズムを使用して利用可能なサブチャネルを競合し、APにアソシエーション要求メッセージを送信する。APがM-BAの形で複数のSTAにアソシエーション確認応答メッセージを送信する場合、以下の問題がある：APは複数のSTAとのアソシエーションを確立しないため、APは各STAのAIDを知らない。
【０００５】
従って、APは、M-BAの形で複数のSTAにアソシエーション確認応答メッセージを送信できない。その結果、APとSTAとのアソシエーションが確立されず、通信の信頼性が低下する。
【発明の概要】
【課題を解決するための手段】
【０００６】
本発明の各実施形態は、APとSTAとをアソシエーションさせ、通信の信頼性をさらに確保するためのアソシエーション確立方法および装置を提供する。
【０００７】
第1の実施態様によれば、本発明の一実施形態は、アソシエーション確立方法を提供し、本方法は、
アクセスポイント（AP）により、トリガフレームをブロードキャストするステップであって、トリガフレームは、1つ以上の利用可能なサブチャネルを示すため、かつ複数の第1のステーション（STA）を始動して上りリンクデータ伝送を同時に行わせるために使用される、ステップと、
APにより、対応する利用可能なサブチャネル上で複数の第1のSTAのそれぞれが送信したアソシエーション要求メッセージを受信するステップであって、アソシエーション要求メッセージは、第1のSTAの媒体アクセス制御（MAC）アドレスを含む、ステップと、
APにより、マルチブロック確認応答（M-BA）フレームをブロードキャストするステップであって、M-BAフレームは、1つ以上のアソシエーション確認応答情報を含み、アソシエーション確認応答情報は、アソシエーション要求メッセージの確認応答情報であり、
トリガフレームが、APによって各利用可能なサブチャネルに割り当てられた一時的識別子を含む場合、アソシエーション確認応答情報は、1つ以上の第2のSTAのMACアドレスを含み、その結果、各第2のSTAは、アソシエーション確認応答情報が、APによって第2のSTAに送信された確認応答情報であると判定し、かつ対応する利用可能なサブチャネルの一時的識別子を第2のSTAの第1のAIDとして使用し、第2のSTAは、APが正常に受信したアソシエーション要求メッセージに対応する第1のSTAであり、
そうではない場合、アソシエーション確認応答情報は、1つ以上の第2のSTAのMACアドレスと、APによって第2のSTAに割り当てられた第1のAIDとを含む、ステップと、
APにより、第1のAIDに従って、対応する第2のSTAにアソシエーション応答メッセージを送信するステップであって、アソシエーション応答メッセージは、第2のSTAとAPとの間のアソシエーションが正常に確立されたことを示すために使用され、アソシエーション応答メッセージは、第2のAIDを含み、第2のAIDは、第2のSTAを識別するために使用され、第2のAIDは、第1のAIDと同じでも異なってもよい、ステップと、
を含む。
【０００８】
第1の実施態様に関連して、第1の実施態様の第1の可能な実装では、トリガフレームが、APによって各利用可能なサブチャネルに割り当てられた一時的識別子を含む場合、アソシエーション確認応答情報は、第2のSTAに対応する利用可能なサブチャネルの一時的識別子をさらに含む。
【０００９】
第1の実施態様の第1の可能な実装に関連して、第1の実施態様の第2の可能な実装では、アソシエーション確認応答情報に含まれる一時的識別子は、アソシエーション確認応答情報がアソシエーション要求メッセージの確認応答情報であることを示すためにさらに使用される。
【００１０】
第1の実施態様または第1の可能な実装に関連して、第1の実施態様の第3の可能な実装では、アソシエーション確認応答情報は、ダミーのアソシエーション識別子をさらに含み、ダミーのアソシエーション識別子は、アソシエーション確認応答情報がアソシエーション要求メッセージの確認応答情報であることを示すために使用される。
【００１１】
第1の実施態様または第1の可能な実装に関連して、第1の実施態様の第4の可能な実装では、アソシエーション確認応答情報の特殊トラフィック識別子（TID）は、アソシエーション確認応答情報がアソシエーション要求メッセージの確認応答情報であることを示すためにさらに使用される。
【００１２】
第1の実施態様から第3の可能な実装のいずれか1つに関連して、第1の実施態様の第5の可能な実装では、アソシエーション確認応答情報の特殊トラフィック識別子（TID）またはTIDの4ビットすべてが、APが同じアソシエーション確認応答情報を使用して確認応答要求を送信する第2のSTAの数を示す。
【００１３】
第1の実施態様から第4の可能な実装のいずれか1つに関連して、第1の実施態様の第6の可能な実装では、アソシエーション確認応答情報は、統計的識別子をさらに含み、統計的識別子は、APが同じアソシエーション確認応答情報を使用して確認応答要求を送信する第2のSTAの数を示す。
【００１４】
第1の実施態様の第6の可能な実装に関連して、第1の実施態様の第7の可能な実装では、統計的識別子は、アソシエーション確認応答情報のトラフィック毎識別子情報の後に配置される。
【００１５】
第1の実施態様の第6の可能な実装に関連して、第1の実施態様の第8の可能な実装では、統計的識別子は、ブロック確認応答開始シーケンス制御において予約された、アソシエーション確認応答情報のビットを占有する。
【００１６】
第2の実施態様によれば、本発明の一実施形態は、アソシエーション確立方法を提供し、本方法は、
第1のステーション（STA）により、アクセスポイント（AP）がブロードキャストしたトリガフレームを受信するステップであって、トリガフレームは、1つ以上の利用可能なサブチャネルを示すため、かつ複数の第1のステーション（STA）を始動して上りリンクデータ伝送を同時に行わせるために使用される、ステップと、
第1のSTAにより、対応する利用可能なサブチャネル上でアソシエーション要求メッセージを送信するステップであって、アソシエーション要求メッセージは、第1のSTAの媒体アクセス制御（MAC）アドレスを含む、ステップと、
第1のSTAにより、APがブロードキャストしたマルチブロック確認応答（M-BA）フレームを受信するステップであって、M-BAフレームは、1つ以上のアソシエーション確認応答情報を含み、アソシエーション確認応答情報は、アソシエーション要求メッセージの確認応答情報であり、
トリガフレームが、APによって各利用可能なサブチャネルに割り当てられた一時的識別子を含む場合、M-BAフレームは、1つ以上の第2のSTAのMACアドレスを含み、第1のSTAが、第1のSTAのMACアドレスがM-BAフレームにあると発見した場合、第1のSTAは、アソシエーション確認応答情報が、APによって第1のSTAに送信された確認応答情報であると判定し、かつ対応する利用可能なサブチャネルの一時的識別子を第1のSTAの第1のAIDとして使用し、
そうではない場合、M-BAフレームは、1つ以上の第2のSTAのMACアドレスと、APによって第2のSTAに割り当てられた第1のAIDとを含み、第1のSTAが、第1のSTAのMACアドレスがM-BAフレームにあると発見した場合、第1のSTAは、第1のSTAのMACアドレスに対応する第1のAIDを取得し、第2のSTAは、APが正常に受信したアソシエーション要求メッセージに対応するSTAである、ステップと、
第1のSTAにより、第1のAIDに従って、APが送信したアソシエーション応答メッセージを受信するステップであって、アソシエーション応答メッセージは、第1のSTAとAPとの間のアソシエーションが正常に確立されたことを示すために使用され、アソシエーション応答メッセージは、第2のAIDを含み、第2のAIDは、第1のSTAを識別するために使用され、第2のAIDは、第1のAIDと同じでも異なってもよい、ステップと、
を含む。
【００１７】
第2の実施態様に関連して、第2の実施態様の第1の可能な実装では、トリガフレームが、APによって各利用可能なサブチャネルに割り当てられた一時的識別子を含む場合、アソシエーション確認応答情報は、第2のSTAに対応する利用可能なサブチャネルの一時的識別子をさらに含む。
【００１８】
第2の実施態様の第1の可能な実装に関連して、第2の実施態様の第2の可能な実装では、アソシエーション確認応答情報に含まれる一時的識別子は、アソシエーション確認応答情報がアソシエーション要求メッセージの確認応答情報であることを示すためにさらに使用される。
【００１９】
第2の実施態様または第1の可能な実装に関連して、第2の実施態様の第3の可能な実装では、アソシエーション確認応答情報は、ダミーのアソシエーション識別子をさらに含み、ダミーのアソシエーション識別子は、アソシエーション確認応答情報がアソシエーション要求メッセージの確認応答情報であることを示すために使用される。
【００２０】
第2の実施態様または第1の可能な実装に関連して、第2の実施態様の第3の可能な実装では、アソシエーション確認応答情報の特殊トラフィック識別子（TID）は、アソシエーション確認応答情報がアソシエーション要求メッセージの確認応答情報であることを示すためにさらに使用される。
【００２１】
第2の実施態様から第2の可能な実装のいずれか1つに関連して、第2の実施態様の第4の可能な実装では、アソシエーション確認応答情報の特殊トラフィック識別子（TID）またはTIDの4ビットすべてが、APが同じアソシエーション確認応答情報を使用して確認応答要求を送信する第2のSTAの数を示す。
【００２２】
第2の実施態様から第3の可能な実装のいずれか1つに関連して、第2の実施態様の第5の可能な実装では、アソシエーション確認応答情報は、統計的識別子をさらに含み、統計的識別子は、APが同じアソシエーション確認応答情報を使用して確認応答要求を送信する第2のSTAの数を示す。
【００２３】
第2の実施態様の第5の可能な実装に関連して、第2の実施態様の第6の可能な実装では、統計的識別子は、アソシエーション確認応答情報のトラフィック毎識別子情報の後に配置される。
【００２４】
第2の実施態様の第5の可能な実装に関連して、第2の実施態様の第7の可能な実装では、統計的識別子は、ブロック確認応答開始シーケンス制御において予約された、アソシエーション確認応答情報のビットを占有する。
【００２５】
第3の実施態様によれば、本発明の一実施形態は、アソシエーション確立方法を提供し、本方法は、
アクセスポイント（AP）により、1つ以上の第1のステーション（STA）のそれぞれが送信したアソシエーション要求メッセージを受信するステップであって、アソシエーション要求メッセージは、第1のSTAによって生成されたトークン識別子を含み、トークン識別子は、第1のSTAを一意に識別するために使用される、ステップと、
APにより、マルチブロック確認応答（M-BA）フレームをブロードキャストするステップであって、M-BAフレームは、1つ以上のアソシエーション確認応答情報を含み、アソシエーション確認応答情報は、アソシエーション要求メッセージの確認応答情報であり、
アソシエーション確認応答情報は、1つ以上の第2のSTAのトークン識別子と、APによって第2のSTAに割り当てられた第1のアソシエーション識別子（AID）とを含み、その結果、第2のSTAは、トークン識別子に従って、第1のAIDを取得し、第2のSTAは、APによって正常に受信されたアソシエーション要求メッセージに対応する第1のSTAである、ステップと、
APにより、第1のAIDに従って、対応する第2のSTAにアソシエーション応答メッセージを送信するステップであって、アソシエーション応答メッセージは、第2のSTAとAPとの間のアソシエーションが正常に確立されたことを示すために使用され、アソシエーション応答メッセージは、第2のAIDを含み、第2のAIDは、第2のSTAを識別するために使用され、第2のAIDは、第1のAIDと同じでも異なってもよい、ステップと、
を含む。
【００２６】
第3の実施態様に関連して、第3の実施態様の第1の可能な実装では、アソシエーション要求メッセージは、第1のSTAのMACアドレスをさらに含む。
【００２７】
第3の実施態様に関連して、第3の実施態様の第2の可能な実装では、アソシエーション確認応答情報は、第2のSTAのMACアドレスをさらに含む。
【００２８】
第3の実施態様から第2の可能な実装のいずれか1つに関連して、第3の実施態様の第3の可能な実装では、アソシエーション確認応答情報の特殊トラフィック識別子（TID）またはTIDの4ビットすべてが、APが同じアソシエーション確認応答情報を使用して確認応答要求を送信する第2のSTAの数を示す。
【００２９】
第3の実施態様から第2の可能な実装のいずれか1つに関連して、第3の実施態様の第4の可能な実装では、アソシエーション確認応答情報は、統計的識別子をさらに含み、統計的識別子は、APが同じアソシエーション確認応答情報を使用して確認応答要求を送信する第2のSTAの数を示す。
【００３０】
第3の実施態様の第4の可能な実装に関連して、第3の実施態様の第5の可能な実装では、統計的識別子は、アソシエーション確認応答情報のトラフィック毎識別子情報の後に配置される。
【００３１】
第3の実施態様の第4の可能な実装に関連して、第3の実施態様の第6の可能な実装では、統計的識別子は、ブロック確認応答開始シーケンス制御において予約された、アソシエーション確認応答情報のビットを占有する。
【００３２】
第4の実施態様によれば、本発明の一実施形態は、アソシエーション確立方法を提供し、本方法は、
第1のステーション（STA）により、トークン識別子を生成するステップであって、トークン識別子は、第1のSTAを一意に識別するために使用される、ステップと、
第1のSTAにより、アクセスポイント（AP）にアソシエーション要求メッセージを送信するステップであって、アソシエーション要求メッセージは、第1のSTAによって生成されたトークン識別子を含む、ステップと、
第1のSTAにより、APがブロードキャストしたマルチブロック確認応答（M-BA）フレームを受信するステップであって、M-BAフレームは、1つ以上のアソシエーション確認応答情報を含み、アソシエーション確認応答情報は、アソシエーション要求メッセージの確認応答情報であり、アソシエーション確認応答情報は、1つ以上の第2のSTAのトークン識別子と、APによって第2のSTAに割り当てられた第1のアソシエーション識別子（AID）とを含み、第2のSTAは、APが正常に受信したアソシエーション要求メッセージに対応するSTAである、ステップと、
第1のSTAが、第1のSTAのトークン識別子がM-BAフレームにあると発見した場合、第1のSTAにより、第1のSTAのトークン識別子を含むアソシエーション確認応答情報の第1のAIDを取得するステップと、
第1のSTAにより、第1のAIDに従って、APが送信したアソシエーション応答メッセージを受信するステップであって、アソシエーション応答メッセージは、第1のSTAとAPとの間のアソシエーションが正常に確立されたことを示すために使用され、アソシエーション応答メッセージは、第2のAIDを含み、第2のAIDは、第1のSTAを識別するために使用され、第2のAIDは、第1のAIDと同じでも異なってもよい、ステップと、
を含む。
【００３３】
第4の実施態様に関連して、第4の実施態様の第1の可能な実装では、アソシエーション要求メッセージは、第1のSTAの媒体アクセス制御（MAC）アドレスをさらに含む。
【００３４】
第4の実施態様の第1の可能な実装に関連して、第4の実施態様の第2の可能な実装では、アソシエーション確認応答情報は、第2のSTAのMACアドレスをさらに含む。
【００３５】
第4の実施態様から第2の可能な実装のいずれか1つに関連して、第4の実施態様の第3の可能な実装では、アソシエーション確認応答情報の特殊トラフィック識別子（TID）またはTIDの4ビットすべてが、APが同じアソシエーション確認応答情報を使用して確認応答要求を送信する第2のSTAの数を示す。
【００３６】
第4の実施態様から第2の可能な実装のいずれか1つに関連して、第4の実施態様の第4の可能な実装では、アソシエーション確認応答情報は、統計的識別子をさらに含み、統計的識別子は、APが同じアソシエーション確認応答情報を使用して確認応答要求を送信する第2のSTAの数を示す。
【００３７】
第4の実施態様の第4の可能な実装に関連して、第4の実施態様の第5の可能な実装では、統計的識別子は、アソシエーション確認応答情報のトラフィック毎識別子情報の後に配置される。
【００３８】
第4の実施態様の第4の可能な実装に関連して、第4の実施態様の第6の可能な実装では、統計的識別子は、ブロック確認応答開始シーケンス制御において予約された、アソシエーション確認応答情報のビットを占有する。
【００３９】
第5の実施態様によれば、本発明の一実施形態は、アソシエーション確立装置を提供し、本装置は、アクセスポイント（AP）であり、かつ
トリガフレームをブロードキャストするように構成されたブロードキャストモジュールであって、トリガフレームは、1つ以上の利用可能なサブチャネルを示すため、かつ複数の第1のステーション（STA）を始動して上りリンクデータ伝送を同時に行わせるために使用される、ブロードキャストモジュールと、
対応する利用可能なサブチャネル上で複数の第1のSTAのそれぞれが送信したアソシエーション要求メッセージを受信するように構成された受信モジュールであって、アソシエーション要求メッセージは、第1のSTAの媒体アクセス制御（MAC）アドレスを含み、
ブロードキャストモジュールは、マルチブロック確認応答（M-BA）フレームをブロードキャストするようにさらに構成され、M-BAフレームは、1つ以上のアソシエーション確認応答情報を含み、アソシエーション確認応答情報は、アソシエーション要求メッセージの確認応答情報であり、
トリガフレームが、APによって各利用可能なサブチャネルに割り当てられた一時的識別子を含む場合、アソシエーション確認応答情報は、1つ以上の第2のSTAのMACアドレスを含み、その結果、各第2のSTAは、アソシエーション確認応答情報が、APによって第2のSTAに送信された確認応答情報であると判定し、かつ対応する利用可能なサブチャネルの一時的識別子を第2のSTAの第1のAIDとして使用し、第2のSTAは、APが正常に受信したアソシエーション要求メッセージに対応する第1のSTAであり、
そうではない場合、アソシエーション確認応答情報は、1つ以上の第2のSTAのMACアドレスと、APによって第2のSTAに割り当てられた第1のAIDとを含む、受信モジュールと、
第1のAIDに従って、対応する第2のSTAにアソシエーション応答メッセージを送信するように構成された送信モジュールであって、アソシエーション応答メッセージは、第2のSTAとAPとの間のアソシエーションが正常に確立されたことを示すために使用され、アソシエーション応答メッセージは、第2のAIDを含み、第2のAIDは、第2のSTAを識別するために使用され、第2のAIDは、第1のAIDと同じでも異なってもよい、送信モジュールと、
を備える。
【００４０】
第5の実施態様に関連して、第5の実施態様の第1の可能な実装では、トリガフレームが、APによって各利用可能なサブチャネルに割り当てられた一時的識別子を含む場合、アソシエーション確認応答情報は、第2のSTAに対応する利用可能なサブチャネルの一時的識別子をさらに含む。
【００４１】
第5の実施態様の第1の可能な実装に関連して、第5の実施態様の第2の可能な実装では、アソシエーション確認応答情報に含まれる一時的識別子は、アソシエーション確認応答情報がアソシエーション要求メッセージの確認応答情報であることを示すためにさらに使用される。
【００４２】
第5の実施態様または第1の可能な実装に関連して、第5の実施態様の第3の可能な実装では、アソシエーション確認応答情報は、ダミーのアソシエーション識別子をさらに含み、ダミーのアソシエーション識別子は、アソシエーション確認応答情報がアソシエーション要求メッセージの確認応答情報であることを示すために使用される。
【００４３】
第5の実施態様または第1の可能な実装に関連して、第5の実施態様の第4の可能な実装では、アソシエーション確認応答情報の特殊トラフィック識別子（TID）は、アソシエーション確認応答情報がアソシエーション要求メッセージの確認応答情報であることを示すためにさらに使用される。
【００４４】
第5の実施態様から第3の可能な実装のいずれか1つに関連して、第5の実施態様の第5の可能な実装では、アソシエーション確認応答情報の特殊トラフィック識別子（TID）またはTIDの4ビットすべてが、APが同じアソシエーション確認応答情報を使用して確認応答要求を送信する第2のSTAの数を示す。
【００４５】
第5の実施態様から第4の可能な実装のいずれか1つに関連して、第5の実施態様の第6の可能な実装では、アソシエーション確認応答情報は、統計的識別子をさらに含み、統計的識別子は、APが同じアソシエーション確認応答情報を使用して確認応答要求を送信する第2のSTAの数を示す。
【００４６】
第5の実施態様の第6の可能な実装に関連して、第5の実施態様の第7の可能な実装では、統計的識別子は、アソシエーション確認応答情報のトラフィック毎識別子情報の後に配置される。
【００４７】
第5の実施態様の第6の可能な実装に関連して、第5の実施態様の第8の可能な実装では、統計的識別子は、ブロック確認応答開始シーケンス制御において予約された、アソシエーション確認応答情報のビットを占有する。
【００４８】
第6の実施態様によれば、本発明の一実施形態は、アソシエーション確立装置を提供し、本装置は、第1のステーション（STA）であり、かつ
アクセスポイント（AP）がブロードキャストしたトリガフレームを受信するように構成された受信モジュールであって、トリガフレームは、1つ以上の利用可能なサブチャネルを示すため、かつ複数の第1のステーション（STA）を始動して上りリンクデータ伝送を同時に行わせるために使用される、受信モジュールと、
対応する利用可能なサブチャネル上でアソシエーション要求メッセージを送信するように構成された送信モジュールであって、アソシエーション要求メッセージは、第1のSTAの媒体アクセス制御（MAC）アドレスを含み、
受信モジュールは、APがブロードキャストしたマルチブロック確認応答（M-BA）フレームを受信するようにさらに構成され、M-BAフレームは、1つ以上のアソシエーション確認応答情報を含み、アソシエーション確認応答情報は、アソシエーション要求メッセージの確認応答情報である、送信モジュールと、
を備え、
本装置は、検索モジュールと、判定モジュールと、取得モジュールと、をさらに備え、
トリガフレームが、APによって各利用可能なサブチャネルに割り当てられた一時的識別子を含む場合、M-BAフレームは、1つ以上の第2のSTAのMACアドレスを含み、検索モジュールが、第1のSTAのMACアドレスがM-BAフレームにあると発見した場合、判定モジュールは、アソシエーション確認応答情報が、APによって判定モジュールに送信された確認応答情報であると判定し、かつ対応する利用可能なサブチャネルの一時的識別子を判定モジュールの第1のAIDとして使用し、
そうではない場合、M-BAフレームは、1つ以上の第2のSTAのMACアドレスと、APによって第2のSTAに割り当てられた第1のAIDとを含み、検索モジュールが、第1のSTAのMACアドレスがM-BAフレームにあると発見した場合、取得モジュールは、第1のSTAのMACアドレスに対応する第1のAIDを取得し、第2のSTAは、APが正常に受信したアソシエーション要求メッセージに対応するSTAであり、
受信モジュールは、第1のAIDに従って、APが送信したアソシエーション応答メッセージを受信するようにさらに構成され、アソシエーション応答メッセージは、第1のSTAとAPとの間のアソシエーションが正常に確立されたことを示すために使用され、アソシエーション応答メッセージは、第2のAIDを含み、第2のAIDは、第1のSTAを識別するために使用され、第2のAIDは、第1のAIDと同じでも異なってもよい。
【００４９】
第6の実施態様に関連して、第6の実施態様の第1の可能な実装では、トリガフレームが、APによって各利用可能なサブチャネルに割り当てられた一時的識別子を含む場合、アソシエーション確認応答情報は、第2のSTAに対応する利用可能なサブチャネルの一時的識別子をさらに含む。
【００５０】
第6の実施態様の第1の可能な実装に関連して、第6の実施態様の第2の可能な実装では、アソシエーション確認応答情報に含まれる一時的識別子は、アソシエーション確認応答情報がアソシエーション要求メッセージの確認応答情報であることを示すためにさらに使用される。
【００５１】
第6の実施態様または第1の可能な実装に関連して、第6の実施態様の第2の可能な実装では、アソシエーション確認応答情報は、ダミーのアソシエーション識別子をさらに含み、ダミーのアソシエーション識別子は、アソシエーション確認応答情報がアソシエーション要求メッセージの確認応答情報であることを示すために使用される。
【００５２】
第6の実施態様または第1の可能な実装に関連して、第6の実施態様の第3の可能な実装では、アソシエーション確認応答情報の特殊トラフィック識別子（TID）は、アソシエーション確認応答情報がアソシエーション要求メッセージの確認応答情報であることを示すためにさらに使用される。
【００５３】
第6の実施態様から第2の可能な実装のいずれか1つに関連して、第6の実施態様の第4の可能な実装では、アソシエーション確認応答情報の特殊トラフィック識別子（TID）またはTIDの4ビットすべてが、APが同じアソシエーション確認応答情報を使用して確認応答要求を送信する第2のSTAの数を示す。
【００５４】
第6の実施態様から第3の可能な実装のいずれか1つに関連して、第6の実施態様の第5の可能な実装では、アソシエーション確認応答情報は、統計的識別子をさらに含み、統計的識別子は、APが同じアソシエーション確認応答情報を使用して確認応答要求を送信する第2のSTAの数を示す。
【００５５】
第6の実施態様の第5の可能な実装に関連して、第6の実施態様の第6の可能な実装では、統計的識別子は、アソシエーション確認応答情報のトラフィック毎識別子情報の後に配置される。
【００５６】
第6の実施態様の第5の可能な実装に関連して、第6の実施態様の第7の可能な実装では、統計的識別子は、ブロック確認応答開始シーケンス制御において予約された、アソシエーション確認応答情報のビットを占有する。
【００５７】
第7の実施態様によれば、本発明の一実施形態は、アソシエーション確立装置を提供し、本装置は、アクセスポイント（AP）であり、かつ
1つ以上の第1のステーション（STA）のそれぞれが送信したアソシエーション要求メッセージを受信するように構成された受信モジュールであって、アソシエーション要求メッセージは、第1のSTAによって生成されたトークン識別子を含み、トークン識別子は、第1のSTAを一意に識別するために使用される、受信モジュールと、
マルチブロック確認応答（M-BA）フレームをブロードキャストするように構成されたブロードキャストモジュールであって、M-BAフレームは、1つ以上のアソシエーション確認応答情報を含み、アソシエーション確認応答情報は、アソシエーション要求メッセージの確認応答情報であり、
アソシエーション確認応答情報は、1つ以上の第2のSTAのトークン識別子と、APによって第2のSTAに割り当てられた第1のアソシエーション識別子（AID）とを含み、その結果、第2のSTAは、トークン識別子に従って、第1のAIDを取得し、第2のSTAは、APによって正常に受信されたアソシエーション要求メッセージに対応する第1のSTAである、ブロードキャストモジュールと、
第1のAIDに従って、対応する第2のSTAにアソシエーション応答メッセージを送信するように構成された送信モジュールであって、アソシエーション応答メッセージは、第2のSTAとAPとの間のアソシエーションが正常に確立されたことを示すために使用され、アソシエーション応答メッセージは、第2のAIDを含み、第2のAIDは、第2のSTAを識別するために使用され、第2のAIDは、第1のAIDと同じでも異なってもよい、送信モジュールと、
を備える。
【００５８】
第7の実施態様に関連して、第7の実施態様の第1の可能な実装では、アソシエーション要求メッセージは、第1のSTAのMACアドレスをさらに含む。
【００５９】
第7の実施態様に関連して、第7の実施態様の第2の可能な実装では、アソシエーション確認応答情報は、第2のSTAのMACアドレスをさらに含む。
【００６０】
第7の実施態様から第2の可能な実装のいずれか1つに関連して、第7の実施態様の第3の可能な実装では、アソシエーション確認応答情報の特殊トラフィック識別子（TID）またはTIDの4ビットすべてが、APが同じアソシエーション確認応答情報を使用して確認応答要求を送信する第2のSTAの数を示す。
【００６１】
第7の実施態様から第2の可能な実装のいずれか1つに関連して、第7の実施態様の第4の可能な実装では、アソシエーション確認応答情報は、統計的識別子をさらに含み、統計的識別子は、APが同じアソシエーション確認応答情報を使用して確認応答要求を送信する第2のSTAの数を示す。
【００６２】
第7の実施態様の第4の可能な実装に関連して、第7の実施態様の第5の可能な実装では、統計的識別子は、アソシエーション確認応答情報のトラフィック毎識別子情報の後に配置される。
【００６３】
第7の実施態様の第4の可能な実装に関連して、第7の実施態様の第6の可能な実装では、統計的識別子は、ブロック確認応答開始シーケンス制御において予約された、アソシエーション確認応答情報のビットを占有する。
【００６４】
第8の実施態様によれば、本発明の一実施形態は、アソシエーション確立装置を提供し、本装置は、第1のステーション（STA）であり、かつ
トークン識別子を生成するように構成された生成モジュールであって、トークン識別子は、第1のSTAを一意に識別するために使用される、生成モジュールと、
アクセスポイント（AP）にアソシエーション要求メッセージを送信するように構成された送信モジュールであって、アソシエーション要求メッセージは、生成モジュールによって生成されたトークン識別子を含む、送信モジュールと、
APがブロードキャストしたマルチブロック確認応答（M-BA）フレームを受信するように構成された受信モジュールであって、M-BAフレームは、1つ以上のアソシエーション確認応答情報を含み、アソシエーション確認応答情報は、アソシエーション要求メッセージの確認応答情報であり、アソシエーション確認応答情報は、1つ以上の第2のSTAのトークン識別子と、APによって第2のSTAに割り当てられた第1のアソシエーション識別子（AID）とを含み、第2のSTAは、APが正常に受信したアソシエーション要求メッセージに対応するSTAである、受信モジュールと、
検索モジュールであって、検索モジュールのトークン識別子がM-BAフレームにあると検索モジュールが発見した場合、検索モジュールのトークン識別子を含むアソシエーション確認応答情報の第1のAIDを取得するように構成された、検索モジュールと、
を備え、
受信モジュールは、第1のAIDに従って、APが送信したアソシエーション応答メッセージを受信するようにさらに構成され、アソシエーション応答メッセージは、第1のSTAとAPとの間のアソシエーションが正常に確立されたことを示すために使用され、アソシエーション応答メッセージは、第2のAIDを含み、第2のAIDは、第1のSTAを識別するために使用され、第2のAIDは、第1のAIDと同じでも異なってもよい。
【００６５】
第8の実施態様に関連して、第8の実施態様の第1の可能な実装では、アソシエーション要求メッセージは、第1のSTAの媒体アクセス制御（MAC）アドレスをさらに含む。
【００６６】
第8の実施態様の第1の可能な実装に関連して、第8の実施態様の第2の可能な実装では、アソシエーション確認応答情報は、第2のSTAのMACアドレスをさらに含む。
【００６７】
第8の実施態様から第2の可能な実装のいずれか1つに関連して、第8の実施態様の第3の可能な実装では、アソシエーション確認応答情報の特殊トラフィック識別子（TID）またはTIDの4ビットすべてが、APが同じアソシエーション確認応答情報を使用して確認応答要求を送信する第2のSTAの数を示す。
【００６８】
第8の実施態様から第2の可能な実装のいずれか1つに関連して、第8の実施態様の第4の可能な実装では、アソシエーション確認応答情報は、統計的識別子をさらに含み、統計的識別子は、APが同じアソシエーション確認応答情報を使用して確認応答要求を送信する第2のSTAの数を示す。
【００６９】
第8の実施態様の第4の可能な実装に関連して、第8の実施態様の第5の可能な実装では、統計的識別子は、アソシエーション確認応答情報のトラフィック毎識別子情報の後に配置される。
【００７０】
第8の実施態様の第4の可能な実装に関連して、第8の実施態様の第6の可能な実装では、統計的識別子は、ブロック確認応答開始シーケンス制御において予約された、アソシエーション確認応答情報のビットを占有する。
【００７１】
本発明の各実施形態は、アソシエーション確立方法および装置を提供する。本方法は、アクセスポイント（AP）により、トリガフレームをブロードキャストするステップと、APにより、対応する利用可能なサブチャネル上で複数の第1のステーション（STA）のそれぞれが送信したアソシエーション要求メッセージを受信するステップと、APにより、マルチブロック確認応答（M-BA）フレームをブロードキャストするステップであって、M-BAフレームは、1つ以上のアソシエーション確認応答情報を含み、アソシエーション確認応答情報は、アソシエーション要求メッセージの確認応答情報であり、トリガフレームが、APによって各利用可能なサブチャネルに割り当てられた一時的識別子を含む場合、アソシエーション確認応答情報は、1つ以上の第2のSTAのMACアドレスを含み、その結果、各第2のSTAは、対応する利用可能なサブチャネルの一時的識別子を第2のSTAの第1のアソシエーション識別子（AID）として使用し、そうではない場合、アソシエーション確認応答情報は、1つ以上の第2のSTAのMACアドレスと、APによって第2のSTAに割り当てられた第1のAIDとを含む、ステップと、APにより、第2のSTAにアソシエーション応答メッセージを送信するステップであって、アソシエーション応答メッセージは、第2のSTAとAPとの間のアソシエーションが正常に確立されたことを示すために使用される、ステップと、を含む。APは、第2のSTAが第2のSTAのMACアドレスを読み出すことを条件に、第2のSTAのMACアドレスをM-BAフレームのアソシエーション確認応答情報に付加するため、これにより、アソシエーション確認応答情報が第2のSTAによって送信されたアソシエーション要求であることが示される。このようにして、APはSTAにアソシエーションされ、通信の信頼性が確保される。
【００７２】
本発明の実施形態における、または従来技術における技術的な解決策をより明確に説明するために、以下、実施形態または従来技術を説明するために必要な添付の図面を簡単に説明する。当然のことながら、以下の説明における添付の図面は、本発明の一部の実施形態を単に示すものであり、当業者は、創造的努力がなくても、これらの添付の図面から他の図面をさらに導出することができる。
【図面の簡単な説明】
【００７３】
【図１】従来技術によるM-BAフレームの概略的な構成図である。
【図２】本発明の一実施形態によるアソシエーション確立方法の流れ図である。
【図３Ａ】本発明の一実施形態によるM-BAフレームの第1の概略的な構成図である。
【図３Ｂ】本発明の一実施形態によるM-BAフレームの第2の概略的な構成図である。
【図４】本発明の一実施形態によるM-BAフレームの第3の概略的な構成図である。
【図５】本発明の一実施形態によるM-BAフレームの第4の概略的な構成図である。
【図６】本発明の一実施形態によるM-BAフレームの第5の概略的な構成図である。
【図７】本発明の一実施形態によるブロック確認応答開始シーケンス制御フィールドの概略図である。
【図８】本発明の別の実施形態によるアソシエーション確立方法の流れ図である。
【図９】本発明の一実施形態によるアソシエーション要求メッセージおよびアソシエーション確認応答メッセージの送信の概略図である。
【図１０】本発明の一実施形態によるアソシエーション応答メッセージおよび確認応答メッセージの送信の概略図である。
【図１１】本発明のさらに別の実施形態によるアソシエーション確立方法の流れ図である。
【図１２】本発明の一実施形態によるM-BAフレームの第6の概略的な構成図である。
【図１３】本発明の一実施形態によるM-BAフレームの第7の概略的な構成図である。
【図１４】本発明のさらに別の実施形態によるアソシエーション確立方法の流れ図である。
【図１５】本発明の一実施形態によるアソシエーション確立装置の第1の概略的な構成図である。
【図１６】本発明の一実施形態によるアソシエーション確立装置の第2の概略的な構成図である。
【図１７】本発明の一実施形態によるアソシエーション確立装置の第3の概略的な構成図である。
【図１８】本発明の一実施形態によるアソシエーション確立装置の第4の概略的な構成図である。
【図１９】本発明の一実施形態によるアソシエーション確立装置の第5の概略的な構成図である。
【図２０】本発明の一実施形態によるアソシエーション確立装置の第6の概略的な構成図である。
【図２１】本発明の一実施形態によるアソシエーション確立装置の第7の概略的な構成図である。
【図２２】本発明の一実施形態によるアソシエーション確立装置の第8の概略的な構成図である。
【図２３】本発明の一実施形態によるM-BAフレームの第8の概略的な構成図である。
【発明を実施するための形態】
【００７４】
以下、本発明の実施形態における添付の図面を参照しながら、本発明の実施形態における技術的な解決策を明確に説明する。当然のことながら、説明される実施形態は、単に本発明の実施形態の一部にすぎず、すべてではない。本発明の実施形態に基づいて、当業者によって創造的努力なしに得られるすべての他の実施形態は、本発明の保護範囲内に含まれるものとする。
【００７５】
本発明の実施形態は、無線ローカルエリアネットワーク（Wireless Local Area Network、略称WLAN）技術に基づいている。本発明の実施形態の適用シナリオは以下の通りである：STAと通信する前に、APはSTAとのアソシエーションを確立する必要があり、アソシエーションを確立するための重要なステップは、STAがAPによってSTAに割り当てられたAIDを取得する必要があることであり、ここで、AIDは、STAを一意に識別するために使用される。通常、APは、複数のSTAによって送信されたアソシエーション要求メッセージを受信する。複数のSTAは、OFDMA技術に基づいてアソシエーション要求メッセージを送信することができる。APは、2つの方式で複数のSTAにアソシエーション確認応答メッセージを送信することができる。第1の方式は、OFDMA確認応答である。つまり、APは、直交サブチャネル上の複数のステーションに確認応答ACKまたはブロック確認応答BAを送信する。ACKは、単一の媒体アクセス制御プロトコルデータユニット（Media Access Control Protocol Data Unit、略称MPDU）の確認応答である。BAは、アグリゲート媒体アクセス制御プロトコルデータユニット（Aggregate-Media Access Control Protocol Data Unit、略称A-MPDU）の確認応答である。第2の方式は、ブロードキャストメッセージであるM-BAフレーム確認応答である。つまり、APは、M-BAフレームを使用してブロードキャストによりSTAに複数のSTAに送信される確認応答を送信する。図1に示すように、M-BAフレームは、制御フレーム（Control frame）と、デュレーション／識別子（duration／ID）と、受信アドレス（Receive Address、略称RA）と、送信アドレス（Transmit Address、略称TA）と、ブロック確認応答制御（BA Control）と、ブロック確認応答／確認応答情報（Block Acknowledgement／Acknowledgement Information、略称BA／ACK Info）と、フレームチェックシーケンス（Frame Check Sequence、略称FCS）と、を含む。ブロック確認応答制御は、ブロック確認応答／確認応答ポリシー（BA／ACK policy）と、マルチトラフィック識別子（Multi-Traffic Identifier、略称Multi-TID）と、圧縮ビットマップ（compressed bitmap）と、再送付きグループキャスト（Groupcast with retries、GCR）と、予約（Reserved）フィールドと、トラフィック識別子情報（Traffic Identifier＿Information、TID＿）と、を含む。TID infoは、どのくらいのBA／ACK Infoが存在するかを示すために使用される。さらに、BA／ACK Infoは、トラフィック毎識別子情報（Per Traffic Identifier Information、Per TID Info）を含む。BA／ACK InfoがBA Infoである場合、BA／ACK Infoは、ブロック確認応答開始シーケンス制御（Block Acknowledgement Starting Sequence Control）と、ブロック確認応答ビットマップ（Block Acknowledgement bitmap）と、をさらに含む。またさらに、STAのAIDは、Per TID Infoの最初の11ビットに設定され、APが確認応答を送信するステーションを示すために使用される。第12番目のビットは、ブロック確認応答／確認応答指示（BA／ACK Indication）である。第13番目のビット〜第16番目のビットは、トラフィック識別子（TID）である。以下、APとSTAとの間のアソシエーションを確立する方法を詳細に説明する。
【００７６】
図2は、本発明の一実施形態によるアソシエーション確立方法の流れ図である。本方法は、APによって行われる。図2に示すように、本方法は、以下の手順を特に含む。
【００７７】
S201．アクセスポイント（AP）は、トリガフレームをブロードキャストし、トリガフレームは、1つ以上の利用可能なサブチャネルを示すため、かつ複数の第1のステーション（STA）を始動して上りリンクデータ伝送を同時に行わせるために使用される。
【００７８】
具体的には、ここでの第1のSTAは、APがいかなるアソシエーションも確立しないSTAである。通常、APによってブロードキャストされたトリガフレームは、リソース割り当て指示ビットを使用して、どのSTAがどの利用可能なサブチャネル上でデータを送信するかを示してもよいし、リソース割り当て指示ビットを使用して、どの利用可能なサブチャネルが複数の第1のSTAによるランダムアクセスにより使用されるかを示してもよく、その結果、複数の第1のSTAは、ランダムバックオフアルゴリズムを使用して、利用可能なサブチャネルを競合する。APと第1のSTAとの間になんらアソシエーションが確立されないことから、ここでのトリガフレームは後者でしかあり得ない。つまり、トリガフレームは、リソース割り当て指示ビットを使用して、複数のSTAによるランダムアクセスにより使用される1つ以上の利用可能なサブチャネルを示す。ここで、複数の第1のSTAは、上りリンクデータをOFDMA方式で同時に送信することができる。
【００７９】
S202．APは、対応する利用可能なサブチャネル上で複数の第1のSTAのそれぞれが送信したアソシエーション要求メッセージを受信し、アソシエーション要求メッセージは、第1のSTAの媒体アクセス制御（Media Access Control、MAC）アドレスを含む。
【００８０】
具体的には、APがトリガフレームを送信し、トリガフレームのリソース指示ビットが、どのサブチャネルが複数の第1のSTAによって競合され得るかを示す場合、トリガフレームを受信する第1のSTAは、利用可能なサブチャネルを使用して、アソシエーション要求メッセージを送信する。例えば、STA1およびSTA2は、サブチャネル8上でアソシエーション要求メッセージを送信する。当然のことながら、アソシエーション要求メッセージは、第1のSTAのMACアドレスを運ぶ。
【００８１】
S203．APは、マルチブロック確認応答（M-BA）フレームをブロードキャストし、M-BAフレームは、1つ以上のアソシエーション確認応答情報を含み、アソシエーション確認応答情報は、アソシエーション要求メッセージの確認応答情報であり、トリガフレームが、APによって各利用可能なサブチャネルに割り当てられた一時的識別子を含む場合、アソシエーション確認応答情報は、1つ以上の第2のSTAのMACアドレスを含み、その結果、各第2のSTAは、アソシエーション確認応答情報が、APによって第2のSTAに送信された確認応答情報であると判定し、かつ対応する利用可能なサブチャネルの一時的識別子を第2のSTAの第1のAIDとして使用し、第2のSTAは、APが正常に受信したアソシエーション要求メッセージに対応する第1のSTAであり、そうではない場合、アソシエーション確認応答情報は、1つ以上の第2のSTAのMACアドレスと、APによって第2のSTAに割り当てられた第1のAIDとを含む。
【００８２】
具体的には、ここでのアソシエーション確認応答情報は、図1のブロック確認応答／確認応答情報に対応する。しかしながら、従来技術におけるブロック確認応答情報とは異なり、本発明の本実施形態におけるブロック確認応答情報は、確認応答のために複数の第1のSTAに同時に送信され得る、または確認応答のために1つの第1のSTAに送信され得る、アソシエーション確認応答情報である。さらに、APが同じサブチャネル上で送信されるアソシエーション要求メッセージを受信する場合、APは、最大の信号雑音比を有する信号を通常正常に受信する。例えば、STA1およびSTA2は、サブチャネル8上でアソシエーション要求メッセージを送信するが、STA1が送信したメッセージの信号雑音比は、STA2が送信したメッセージの信号雑音比よりも大きい。このケースでは、APは、STA1からのメッセージのみを通常受信できる。トリガフレームに含まれる異なる内容に応じて、以下の2つのケースがあり得る。
【００８３】
ケース1：トリガフレームが、APによって各利用可能な競合サブチャネルに割り当てられた一時的識別子を含む場合、トリガフレームを受信する第1のSTAは、利用可能な競合サブチャネルの一時的識別子を知る。このケースでは、競合によってサブチャネルを取得した後、第1のSTAは、サブチャネルの一時的識別子を取得し、一時的識別子を第1のSTAの第1のAIDとしてデフォルトで使用する。このケースでは、アソシエーション確認応答情報は、1つ以上の第2のSTAのMACアドレスのみを含むことができる。第1のSTAがM-BAフレームを受信した後、第1のSTAがアソシエーション確認応答情報BA／ACK Infoから第1のSTAのMACアドレスを読み取る場合、これは、アソシエーション確認応答情報BA／ACK Infoが第1のSTAによって送信されたアソシエーション要求メッセージの確認応答であることを示す。このケースでは、第1のSTAは第2のSTAである。第2のSTAは、第2のSTAの第1のアソシエーション識別子（AID）として、アソシエーション要求メッセージを送信するために以前に使用されたサブチャネルの一時的識別子を使用する。本実施形態における第2のSTAは、APによって正常に受信されたアソシエーション要求メッセージに対応する第1のSTAである。
【００８４】
場合により、M-BAフレームは、第2のSTAに対応する利用可能なサブチャネルの一時的識別子をさらに含む。つまり、APは、トリガフレームにおいて、使用可能なサブチャネルの一時的識別子を既にブロードキャストしているが、APは、M-BAフレームに、第2のSTAに対応する利用可能なサブチャネルの一時的識別子を再度追加する。
【００８５】
ケース2：トリガフレームが、APによって各利用可能なサブチャネルに割り当てられた一時的識別子を含まない場合、アソシエーション確認応答情報は、1つ以上の第2のSTAのMACアドレスと、APによって第2のSTAに割り当てられた第1のAIDとを含む。このケースでは、第1のSTAが、M-BAフレーム内のアソシエーション確認応答情報に第1のSTAのMACアドレスが含まれていることを読み取りによって知ると、これは、アソシエーション確認応答情報は、第1のSTAによって送信されたアソシエーション要求メッセージの確認応答であることを示す。第1のSTAは、第1のSTAのMACアドレスを含むアソシエーション確認応答情報に含まれる第1のAIDを取得する。
【００８６】
特に、本発明の本実施形態における第1のAIDは、APによって第2のSTAに割り当てられた一時的識別子と均等である。
【００８７】
S204．APは、第1のAIDに従って、対応する第2のSTAにアソシエーション応答メッセージを送信し、アソシエーション応答メッセージは、第2のSTAとAPとの間のアソシエーションが正常に確立されたことを示すために使用され、アソシエーション応答メッセージは、第2のAIDを含み、第2のAIDは、第2のSTAを識別するために使用され、第2のAIDは、第1のAIDと同じでも異なってもよい。
【００８８】
具体的には、ステップS203において、APによってブロードキャストされるM-BAフレームは、アソシエーション確認応答情報を含むフレームのみである。しかしながら、APは、第2のSTAにAIDを送信することに加えて、拡張分散チャネルアクセス（Enhanced Distributed Channel Access、略称EDCA）パラメータ、または20／40基本サービスセット（Basic Service Set、略称BSS）BSSなどの他の情報を第2のSTAに送信する必要がさらにある。当然のことながら、M-BAフレームを送信した後、現在のAPは、いくつかのアソシエーションされたSTAをキャンセルできる。キャンセルが行われた後、STAのAIDはキャンセルされることがある。例えば、管理を容易にするために、APは、STAに割り当てられたAIDが連続していることを望んでいる。そのようなケースに基づいて、APは、第2のSTAに以前に割り当てられた第1のAIDを調整すること、すなわち、第2のAIDを第2のSTAに再割り当てすることができる。従って、前述の第1のAIDは、APによって第2のSTAに割り当てられた一時的識別子と呼ばれる。当然のことながら、ここでの第2のAIDは、第1のAIDと同じであってもよい。
【００８９】
本発明の本実施形態は、アソシエーション確立方法であって、アクセスポイント（AP）によって、トリガフレームをブロードキャストするステップと、APによって、対応する利用可能なサブチャネル上で複数の第1のステーション（STA）のそれぞれが送信したアソシエーション要求メッセージを受信するステップと、APによって、マルチブロック確認応答（M-BA）フレームをブロードキャストするステップであって、M-BAフレームは、1つ以上のアソシエーション確認応答情報を含み、アソシエーション確認応答情報は、アソシエーション要求メッセージの確認応答情報であり、トリガフレームが、APによって各利用可能な競合サブチャネルに割り当てられた一時的識別子を含む場合、アソシエーション確認応答情報は、1つ以上の第2のSTAのMACアドレスを含み、その結果、各第2のSTAは、対応する利用可能なサブチャネルの一時的識別子を第2のSTAの第1のアソシエーション識別子（AID）として使用し、そうではない場合、アソシエーション確認応答情報は、1つ以上の第2のSTAのMACアドレスと、APによって第2のSTAに割り当てられた第1のAIDとを含む、ステップと、APによって、下りリンクOFDMA方式で第2のSTAにアソシエーション応答メッセージを送信し、下りリンクOFDMAのリソース指示ビットを使用して、第1のSTAに対応するAIDがサブチャネル上でアソシエーション応答を受信することを示すステップと、を含む、アソシエーション確立方法を提供する。ここでのサブチャネルは、任意の現在利用可能なサブチャネルである。通常、APは、STAにアソシエーション応答メッセージを送信するためにより良いサブチャネルを選択する。アソシエーション応答メッセージは、第2のSTAとAPとの間のアソシエーションが正常に確立されたことを示すために使用される。APは、第2のSTAが第2のSTAのMACアドレスを読み出すことを条件に、第2のSTAのMACアドレスをM-BAフレームのアソシエーション確認応答情報に付加するため、これにより、アソシエーション確認応答情報が第2のSTAによって送信されたアソシエーション要求であることが示される。このようにして、APはSTAにアソシエーションされ、通信の信頼性が確保される。
【００９０】
通常、1つのM-BAフレームは、1つ以上のアソシエーション確認応答情報を含むことができる、または普通の確認応答情報を含むことができる。普通の確認応答情報は、アソシエーション要求メッセージの確認応答情報ではない。以下、M-BAフレーム内の確認応答情報が、アソシエーション確認応答情報であるのか普通の確認応答情報であるのかを区別する方法を詳細に説明する。
【００９１】
任意の方式では、トリガフレームが、APによって各利用可能なサブチャネルに割り当てられた一時的識別子を含む場合、アソシエーション確認応答情報は、第2のSTAに対応する利用可能なサブチャネルの一時的識別子をさらに含む。一時的識別子は、確認応答情報がアソシエーション要求メッセージの確認応答情報であることを示すためにさらに使用される。以下のすべての添付図面におけるブロック確認応答／確認応答情報は、本発明の本実施形態におけるアソシエーション確認応答情報である。図3Aは、本発明の一実施形態によるM-BAフレームの第1の概略的な構成図である。図3Aに示すように、ブロック確認応答／確認応答情報内のトラフィック毎識別子情報には、一時的識別子が含まれる。具体的には、APによってブロードキャストされたM-BAフレーム内のブロック確認応答／確認応答情報BA／ACK Infoは、通常、アソシエーション確認応答情報であり得ず、普通の確認応答情報であり得る。従って、トリガフレームを受信すると、第1のSTAは、利用可能なサブチャネルの一時的識別子を知り、一時的識別子を第1のSTAの第1のAIDとして使用する。従って、第1のSTAがブロック確認応答／確認応答情報に一時的識別子が存在することを識別したことを条件に、M-BAフレームを受信した場合、第1のSTAは、ブロック確認応答／確認応答情報がアソシエーション確認応答情報であると判定できる。さらに、図3Aに示すように、ブロック確認応答／確認応答情報には、MACアドレスがさらに含まれている。従って、第1のSTAは、MACアドレスを使用して、ブロック確認応答／確認応答情報が第1のSTAに送信されるかどうかをさらに判定できる。図3Bは、本発明の一実施形態によるM-BAフレームの第2の概略的な構成図である。図3Bのトラフィック毎識別子情報は、4ビットのMACアドレスを含む。トリガフレームを受信すると、第1のSTAは、利用可能なサブチャネルの一時的識別子を知り、一時的識別子を第1のSTAの第1のAIDとして使用する。従って、第1のSTAがブロック確認応答／確認応答情報に一時的識別子が存在することを識別したことを条件に、M-BAフレームを受信した場合、第1のSTAは、ブロック確認応答／確認応答情報がアソシエーション確認応答情報であると判定できる。さらに、第1のSTAは、一時的識別子に従って、ブロック確認応答／確認応答情報がAPによって第1のSTAに送信されたことを判定できる。またさらに、第1のSTAは、4ビットのMACアドレスを第1のSTAのMACアドレスと比較することによって、ブロック確認応答／確認応答情報がAPによって第1のSTAに送信されたことを判定できる。
【００９２】
別の任意の方式では、M-BAフレームにおけるアソシエーション確認応答情報は、ダミーのアソシエーション識別子をさらに含み、ダミーのアソシエーション識別子は、アソシエーション確認応答情報がアソシエーション要求メッセージの確認応答情報であることを示すために使用される。ダミーのアソシエーション識別子は、0である11のビットを用いて示されてもよいし、APによって指定される特殊識別子であってもよい。具体的には、図4は、本発明の一実施形態によるM-BAフレームの第3の概略的な構成図である。図4に示すように、ダミーのアソシエーション識別子は、トラフィック毎識別子情報内に位置し、11ビットを占有し、特殊AIDを用いて示すことができる。例えば、ダミーのアソシエーション識別子は、0である11のビットを用いて示すことができる。第1のSTAがトリガフレームM-BAフレームを受信した場合、第1のSTAがブロック確認応答／確認応答情報にダミーのアソシエーション識別子が存在することを判定した場合、第1のSTAは、ブロック確認応答／確認応答情報がアソシエーション確認応答情報であると判定する。さらに、図4に示すように、M-BAフレームのMACアドレスは、トラフィック毎識別子情報の後に位置し、6バイトを占有する。M-BAフレームの2つのケースでは、一時的識別子または第1のAIDは、MACアドレスの後に位置し、2バイトを占有することができる。
【００９３】
M-BAフレームによるアソシエーション要求を確認応答する方法は、普通のデータフレームの確認応答以外の確認応答、例えば、サウンディング（sounding）ビームフォーミング行列フィードバックフレームの確認応答、または認証要求の確認応答にさらに拡張できる。このケースでは、各トラフィック識別子フィールド内のダミーのアソシエーション識別子である最初の11ビットは、確認応答情報が普通のデータフレームの確認応答以外の確認応答の確認応答情報であることを示すために使用される。各トラフィック識別子フィールドの最後の5ビットは、再定義されてもよく、確認応答情報を用いて確認応答されるフレームのタイプと、各トラフィック識別子フィールドの直後に続く長さと、を示すために使用されてもよい。ここでの長さは、1バイト単位であってもよいし、2バイト単位であってもよい。例えば、5ビットのうちの2ビットは、4つのタイプの確認応答情報を示すために使用され、5ビットのうちの3ビットは、各トラフィック識別子フィールドの直後に続く長さを示すために使用される。サウンディング（sounding）ビームフォーミング行列フィードバックフレームの確認応答では、2バイトのセグメント確認応答ビットマップ（Segment ACK Bitmap）が各トラフィック識別子フィールドの直後に続く。
【００９４】
さらに別の任意の方式では、アソシエーション確認応答情報の特殊トラフィック識別子（TID）は、アソシエーション確認応答情報がアソシエーション要求メッセージの確認応答情報であることを示すためにさらに使用される。図5は、本発明の一実施形態によるM-BAフレームの第4の概略的な構成図である。図5に示すように、トラフィック毎識別子情報の第13番目〜第16番目のビットに、TIDが通常入る。しかしながら、拡張分散チャネルアクセス（Enhanced Distributed Channel Access、略称EDCA）技術に基づいて、M-BAフレームには8タイプのTIDが通常存在する。これらの8タイプのTIDは、3ビットしか占有する必要がない。しかしながら、トラフィック毎識別子情報のTIDには4ビットが割り当てられる。従って、値が0〜7のTIDは通常のTIDを示し、値が8〜15のTIDは特殊TIDである。従って、特殊TIDを使用して、ブロック確認応答／確認応答情報がアソシエーション要求メッセージの確認応答情報であることを示すために使用できる。さらに、M-BAフレームのMACアドレスは、トラフィック毎識別子情報の後に位置し、6バイトを占有する。トリガフレームが、APによって各利用可能なサブチャネルに割り当てられた一時的識別子を含む場合、MACアドレスの後に一時的識別子は存在しない場合もある。
【００９５】
さらに別の任意の方式では、アソシエーション確認応答情報のトラフィック識別子（TID）の1ビットは、アソシエーション確認応答情報がアソシエーション要求メッセージの確認応答情報であることを示すためにさらに使用される。図23は、本発明の一実施形態によるM-BAフレームの第8の概略的な構成図である。図23に示すように、トラフィック毎識別子情報の第13番目〜第16番目のビットに、TIDが通常入る。しかしながら、拡張分散チャネルアクセス（Enhanced Distributed Channel Access、略称EDCA）技術に基づいて、M-BAフレームには8タイプのTIDが通常存在する。これらの8タイプのTIDを示すのに、3ビットだけしか占有する必要がない。しかしながら、トラフィック毎識別子情報のTIDには4ビットが割り当てられる。従って、TIDの3ビットは、確認応答される対応するMACフレーム内のTIDを示すために依然として使用されてもよい。従って、TIDにおける他のビットを使用して、ブロック確認応答／確認応答情報がアソシエーション要求メッセージの確認応答情報であることを示すことができる。ビットは、図23のアソシエーション確認応答指示ビットである。実装例では、ビットはTIDの最後のビットである。ビットは、トラフィック毎識別子情報の第13番目のビット〜第16番目のビットのいずれか1つであってもよいことが理解されよう。
【００９６】
具体的には、アソシエーション指示ビットの値は、具体的には、以下の通りであり得る：例えば、ビットが1に設定されている場合、それは、ブロック確認応答／確認応答情報が、アソシエーション要求メッセージの確認応答情報であることを示し、そうではない場合、それは、ブロック確認応答／確認応答情報がアソシエーション要求メッセージの確認応答情報ではないことを示す。さらに、M-BAフレームのMACアドレスは、トラフィック毎識別子情報の後に位置し、6バイトを占有する。このケースでは、アソシエーション要求を正常に送信したステーションにAPによって割り当てられた第1のAIDが、各トラフィック識別子フィールドのAIDサブフィールドに書き込まれる。第1のAIDの名前は、Pre-AIDまたは別の同様の名前であってもよいことに留意されたい。
【００９７】
さらに、1つのM-BAフレーム内の1つのBA／ACK Infoは、複数のアソシエーションされていないSTAによって送信されたアソシエーション要求の確認応答を含むことができる。つまり、M-BAフレームは、1つのBA／ACK Infoを含む。BA／ACK Infoは、複数のアソシエーションされていないSTAによって送信されたアソシエーション要求の確認応答を含む。図6は、本発明の一実施形態によるM-BAフレームの第5の概略的な構成図である。図6に示すように、M-BAフレームは、1つのBA／ACK Infoを含む。BA／ACK Infoは、複数のMACアドレスと、MACアドレスに対応する一時的識別子または第1のAIDとを含む。以下、APが同じアソシエーション確認応答情報を使用して確認応答要求を送信するSTAの数を判定する方法を具体的に説明する。
【００９８】
1．アソシエーション確認応答情報にある特殊トラフィック識別子（TID）またはTIDの4ビットすべてが、APが同じアソシエーション確認応答情報を使用して確認応答要求を送信する第2のSTAの数を示す。このような方法は、アソシエーション確認応答情報がアソシエーション要求メッセージの確認応答情報であることを示すために特殊TIDが使用されるケースには適用できない。他のケースでは、このような方式で指示を行うことができる。例えば、TIDの値が8である場合、アソシエーション確認応答情報に対応して、確認応答が1つのSTAに送信される。TIDの値が9である場合、アソシエーション確認応答情報に対応して、確認応答が2つのSTAに送信される。場合により、TIDの4ビットすべては、確認応答のためにアソシエーション確認応答情報が送信されるSTAの数を示すために使用される。
【００９９】
別の実装では、ある範囲の特殊トラフィック識別子（TID）またはTIDの4ビットすべてを使用して、アソシエーション確認応答情報内のトラフィック毎識別子情報にどれだけのバイト情報が続くかを示すことができる。例えば、2バイトが単位として使用される。
【０１００】
2．M-BAフレームは、統計的識別子をさらに含み、統計的識別子は、APが同じアソシエーション確認応答情報を使用して確認応答要求を送信する第2のSTAの数を示す。一方で、統計的識別子は、トラフィック毎識別子情報の後に配置でき、APは、統計的識別子にビットを固定的に割り当てできる。他方、ブロック確認応答開始シーケンスは、トラフィック毎識別子情報の後に配置され、統計的識別子は、ブロック確認応答開始シーケンス制御において予約された、M-BAフレームのビットを占有する。図7は、本発明の一実施形態によるブロック確認応答開始シーケンス制御フィールドの概略図である。図7に示すように、ブロック確認応答開始シーケンス制御は、4つの予約ビットと開始シーケンス番号とを含む。従って、開始シーケンス番号が特殊開始シーケンス番号、例えば、すべて0である場合、統計的識別子が予約ビットに入れられてもよい。特に、統計的識別子は、M-BAフレームの別の場所にさらに存在してもよい。このことは、本発明において限定されるものではない。
【０１０１】
本発明の本実施形態では、トラフィック毎識別子情報の後に、MACアドレスが続く場合には、一時的識別子／第1のAIDがさらに含まれ得る、または複数のMACアドレスが続く場合、複数の一時的識別子／第1のAIDがさらに含まれ得ることに留意されたい。このケースでは、上記の内容によって必要とされるビット数が8の倍数であることを確保するために、0を入れる必要がある。つまり、1バイトを単位として使用するか、10バイトを単位として使用する。
【０１０２】
図8は、本発明の別の実施形態によるアソシエーション確立方法の流れ図である。本方法は、第1のSTAによって行われる。本方法は、以下の手順を特に含む。
【０１０３】
S801．第1のSTAは、アクセスポイント（AP）がブロードキャストしたトリガフレームを受信し、トリガフレームは、1つ以上の利用可能なサブチャネルを示すため、かつ複数の第1のステーション（STA）を始動して上りリンクデータ伝送を同時に行わせるために使用される。
【０１０４】
具体的には、ここでの第1のSTAは、APがいかなるアソシエーションも確立しないSTAである。通常、APによってブロードキャストされたトリガフレームは、リソース割り当て指示ビットを使用して、どのSTAがどの利用可能なサブチャネル上でデータを送信するかを示してもよいし、リソース割り当て指示ビットを使用して、どの利用可能なサブチャネルが複数の第1のSTAによるランダムアクセスにより使用されるかを示してもよく、その結果、第1のSTAは、ランダムバックオフアルゴリズムを使用して、利用可能なサブチャネルを競合する。APと第1のSTAとの間になんらアソシエーションが確立されないことから、トリガフレームは後者でしかあり得ない。つまり、トリガフレームは、1つ以上の利用可能なサブチャネルを示すために使用される。
【０１０５】
S802．第1のSTAは、対応する利用可能なサブチャネル上でアソシエーション要求メッセージを送信し、アソシエーション要求メッセージは、第1のSTAの媒体アクセス制御（MAC）アドレスを含む。
【０１０６】
S803．第1のSTAは、APがブロードキャストしたマルチブロック確認応答（M-BA）フレームを受信し、M-BAフレームは、1つ以上のアソシエーション確認応答情報を含み、アソシエーション確認応答情報は、アソシエーション要求メッセージの確認応答情報である。
【０１０７】
S804．トリガフレームが、APによって各利用可能なサブチャネルに割り当てられた一時的識別子を含む場合、M-BAフレームは、1つ以上の第2のSTAのMACアドレスを含み、第1のSTAが、第1のSTAのMACアドレスがM-BAフレームにあると発見した場合、第1のSTAは、アソシエーション確認応答情報が、APによって第1のSTAに送信された確認応答情報であると判定し、かつ対応する利用可能なサブチャネルの一時的識別子を第1のSTAの第1のAIDとして使用し、トリガフレームが、APによって各利用可能なサブチャネルに割り当てられた一時的識別子を含まない場合、M-BAフレームは、1つ以上の第2のSTAのMACアドレスと、APによって第2のSTAに割り当てられた第1のAIDとを含み、第1のSTAが、第1のSTAのMACアドレスがM-BAフレームにあると発見した場合、第1のSTAは、第1のSTAのMACアドレスに対応する第1のAIDを取得し、第2のSTAは、APが正常に受信したアソシエーション要求メッセージに対応するSTAである。
【０１０８】
具体的には、M-BAフレームがアソシエーション要求メッセージであると判定した後、第1のSTAは、M-BAフレーム内で第1のSTAのMACアドレスを検索する。第1のSTAのMACアドレスが発見された場合、それは、MACアドレスを含む確認応答情報がAPによって第1のSTAに送信されることを示す。このケースでは、2つのケースがある。ケース1では、トリガフレームが、APによって各利用可能なサブチャネルに割り当てられた一時的識別子を含む場合、第1のSTAがトリガフレームを受信した場合、第1のSTAは、一時的識別子を第1のSTAの第1のAIDとして既に使用している。ここでの第1のAIDは、APによって第1のSTAに割り当てられた一時的識別子と考えられる。第1のSTAは、APによって第1のSTAに送信されたアソシエーション応答メッセージを受信していないことから、APによって第1のSTAに実際に割り当てられるAID（つまり、後述の第2のAID）は、第1のAIDとは異なる。当然のことながら、トリガフレームが、APによって各利用可能なサブチャネルに割り当てられた一時的識別子を含む場合、M-BAフレームは、第2のSTAに対応する利用可能なサブチャネルの一時的識別子をさらに含む。ケース2では、トリガフレームが、APによって各利用可能なサブチャネルに割り当てられた一時的識別子を含まない場合、M-BAフレームは、1つ以上の第2のSTAのMACアドレスと、APによって第2のSTAに割り当てられた第1のAIDとを含む。第1のSTAが、第1のSTAのMACアドレスがM-BAフレームにあると発見した場合、第1のSTAは、第1のSTAのMACアドレスに対応する第1のAIDを取得する。
【０１０９】
具体的には、第1のSTAは、各トラフィック識別子内の一時的識別子、または特殊TID、またはM-BAフレーム内のブロック確認応答／確認応答情報内のTIDの1ビット、またはダミーのアソシエーション識別子を使用して、ブロック確認応答／確認応答情報がアソシエーション要求メッセージの確認応答情報であるかどうかをまず判定する。次いで、第1のSTAは、各トラフィック識別子に続くMACアドレスを使用して、ブロック確認応答／確認応答情報が確認応答のために第1のSTAに送信されたアソシエーション要求であるかどうかを判定する。
【０１１０】
S805．第1のSTAは、第1のAIDに従って、APが送信したアソシエーション応答メッセージを受信し、アソシエーション応答メッセージは、第1のSTAとAPとの間のアソシエーションが正常に確立されたことを示すために使用され、アソシエーション応答メッセージは、第2のAIDを含み、第2のAIDは、第1のSTAを識別するために使用され、第2のAIDは、第1のAIDと同じでも異なってもよい。
【０１１１】
具体的には、ステップS804では、APは、第1のSTAによって送信されたアソシエーション要求メッセージを正常に受信したと仮定する。従って、ステップS805では、第1のSTAは、第1のAIDに従ってAPによって送信されたアソシエーション応答メッセージをOFDMAによって受信する。アソシエーション応答メッセージに含まれる第2のAIDは、APによって第1のSTAに割り当てられた最後かつ実際のAIDである。その後、APは、第2のAIDを使用して第1のSTAと通信することができる。
【０１１２】
本発明の本実施形態は、アソシエーション確立方法であって、第1のステーション（STA）によって、アクセスポイント（AP）がブロードキャストしたトリガフレームを受信するステップと、第1のSTAによって、APがブロードキャストしたマルチブロック確認応答（M-BA）フレームを受信するステップであって、トリガフレームが、APによって各利用可能なサブチャネルに割り当てられた一時的識別子を含む場合、M-BAフレームは、1つ以上の第2のSTAのMACアドレスを含み、第1のSTAが、第1のSTAのMACアドレスがM-BAフレームにあると発見した場合、第1のSTAは、アソシエーション確認応答情報が、APによって第1のSTAに送信された確認応答情報であると判定し、かつ対応する利用可能なサブチャネルの一時的識別子を第1のSTAの第1のAIDとして使用し、トリガフレームが、APによって各利用可能なサブチャネルに割り当てられた一時的識別子を含まない場合、M-BAフレームは、1つ以上の第2のSTAのMACアドレスと、APによって第2のSTAに割り当てられた第1のAIDとを含み、第1のSTAが、第1のSTAのMACアドレスがM-BAフレームにあると発見した場合、第1のSTAは、第1のSTAのMACアドレスに対応する第1のAIDを取得し、第2のSTAは、APが正常に受信したアソシエーション要求メッセージに対応するSTAである、ステップと、第1のSTAによって、第1のAIDに従ってAPによって送信されたアソシエーション応答メッセージをOFDMAによって受信するステップであって、アソシエーション応答メッセージは第2のAIDを含む、ステップと、を含む、アソシエーション確立方法を提供する。APは、第1のSTAが第1のSTAのMACアドレスを読み出すことを条件に、MACアドレスをM-BAフレームのアソシエーション確認応答情報に付加するため、第1のSTAは、APによって第1のSTAに送信された確認応答情報がアソシエーション確認応答情報に存在すると判定し、第1のAIDを取得し、最後に第2のAIDを取得できる。このようにして、APはSTAにアソシエーションされ、通信の信頼性が確保される。
【０１１３】
通常、1つのM-BAフレームは、1つ以上のアソシエーション確認応答情報を含むことができる、または普通の確認応答情報を含むことができる。普通の確認応答情報は、アソシエーション要求メッセージの確認応答情報ではない。以下、M-BAフレーム内の確認応答情報が、アソシエーション確認応答情報であるのか普通の確認応答情報であるのかを区別する方法を詳細に説明する。
【０１１４】
ケース1．トリガフレームが、APによって各利用可能なサブチャネルに割り当てられた一時的識別子を含む場合、アソシエーション確認応答情報は、第2のSTAに対応する利用可能なサブチャネルの一時的識別子をさらに含む。一時的識別子は、確認応答情報がアソシエーション要求メッセージの確認応答情報であることを示すためにさらに使用される。このケースでは、第1のSTAは、第1のSTAの第1のAIDとして、第1のSTAがアソシエーション要求メッセージを送信する場合に使用されたサブチャネルの一時的識別子を既にデフォルトで使用している。従って、第1のSTAがM-BAフレームを受信した後、第1のSTAが、第1のSTAによって取得されたデフォルトの一時的識別子がM-BAフレームのBA／ACK Infoに含まれることを読み取りによって知った場合、それは、BA／ACK Infoはアソシエーション確認応答情報であることを示す。図3Aに示すように、第1のSTAは、トラフィック毎識別子情報の後に位置するMACアドレスを読み取り、次いで、MACアドレスが第1のSTAのMACアドレスであるかどうかを判定する。MACアドレスが第1のSTAのMACアドレスである場合、それは、APが第1のSTAからのアソシエーション要求メッセージを正常に受信したことを示す。M-BAフレームが、第1のSTAに対応する利用可能なサブチャネルの一時的識別子をさらに含む場合、MACアドレスを使用して、確認応答情報が第1のSTAに送信されたかどうかを判定することに加えて、第1のSTAは、一時的識別子を使用して、確認応答情報が第1のSTAに送信されたかどうかをさらに判定する。
【０１１５】
ケース2．アソシエーション確認応答情報は、ダミーのアソシエーション識別子をさらに含む。ダミーのアソシエーション識別子は、アソシエーション確認応答情報がアソシエーション要求メッセージの確認応答情報であることを示すために使用される。ダミーのアソシエーション識別子は、0である11のビットを用いて示されてもよいし、APによって指定される特殊識別子であってもよい。図4に示すように、M-BAフレームを受信した後、第1のSTAがダミーのアソシエーション識別子を読み取った場合、M-BAフレームのBA／ACK Infoはアソシエーション確認応答情報であるとみなされる。第1のSTAは、トラフィック毎識別子情報の後に位置するMACアドレスを読み取り、次いで、MACアドレスが第1のSTAのMACアドレスであるかどうかを判定する。MACアドレスが第1のSTAのMACアドレスである場合、それは、APが第1のSTAからのアソシエーション要求メッセージを正常に受信したことを示す。
【０１１６】
ケース3．アソシエーション確認応答情報は、特殊TIDをさらに含む。特殊TIDは、アソシエーション確認応答情報がアソシエーション要求メッセージの確認応答情報であることを示すためにさらに使用される。拡張分散チャネルアクセス（Enhanced Distributed Channel Access、略称EDCA）技術に基づいて、M-BAフレームには8タイプのTIDが通常存在する。これらの8タイプのTIDは、3ビットしか占有する必要がない。しかしながら、トラフィック毎識別子情報のTIDに4ビットが割り当てられる。従って、値が0〜7のTIDは通常のTIDを示し、値が8〜15のTIDは特殊TIDである。従って、特殊TIDを使用して、ブロック確認応答／確認応答情報がアソシエーション要求メッセージの確認応答情報であることを示すことができる。図5に示すように、M-BAフレームを受信した後、第1のSTAが特殊TIDを読み取った場合、M-BAフレームのBA／ACK Infoはアソシエーション確認応答情報であるとみなされる。第1のSTAは、トラフィック毎識別子情報の後に位置するMACアドレスを読み取り、次いで、MACアドレスが第1のSTAのMACアドレスであるかどうかを判定する。MACアドレスが第1のSTAのMACアドレスである場合、それは、APが第1のSTAからのアソシエーション要求メッセージを正常に受信したことを示す。
【０１１７】
ケース4．アソシエーション確認応答情報は、アソシエーション確認応答指示をさらに含む。アソシエーション確認応答指示は、各トラフィック識別子フィールド内のTIDサブフィールドの1ビットであり、アソシエーション確認応答情報がアソシエーション要求メッセージの確認応答情報であることを示すためにさらに使用される。図23に示すように、M-BAフレームを受信した後、第1のSTAがアソシエーション確認応答指示を読み取った場合、そしてビット指示がアソシエーション確認応答情報である場合、M-BAフレームのBA／ACK Infoはアソシエーション確認応答情報であるとみなされる。第1のSTAは、トラフィック毎識別子情報の後に位置するMACアドレスを読み取り、次いで、MACアドレスが第1のSTAのMACアドレスであるかどうかを判定する。MACアドレスが第1のSTAのMACアドレスである場合、それは、APが第1のSTAからのアソシエーション要求メッセージを正常に受信したことを示す。加えて、STAは、M-BAフレームによって各トラフィック識別子フィールドのAIDサブフィールドにAPによって割り当てられた第1のAIDを取得する。
【０１１８】
さらに、1つのM-BAフレーム内の1つのBA／ACK Infoは、複数のアソシエーションされていないSTAによって送信されたアソシエーション要求の確認応答を含むことができる。つまり、M-BAフレームは、1つのBA／ACK Infoを含む。BA／ACK Infoは、複数のアソシエーションされていないSTAによって送信されたアソシエーション要求の確認応答を含む。図6に示すように、M-BAフレームは、1つのBA／ACK Infoを含む。ブロック確認応答情報は、複数のMACアドレスと、MACアドレスに対応する一時的識別子または第1のAIDとを含む。以下、APが同じアソシエーション確認応答情報を使用して確認応答要求を送信するSTAの数を判定する方法を具体的に説明する。
【０１１９】
1．アソシエーション確認応答情報にある特殊トラフィック識別子（TID）またはTIDの4ビットすべてが、APが同じアソシエーション確認応答情報を使用して確認応答要求を送信する第2のSTAの数を示す。当然のことながら、このようなケースは、上記のケース3に基づくことはできない。
【０１２０】
2．M-BAフレームは、統計的識別子をさらに含み、統計的識別子は、APが同じアソシエーション確認応答情報を使用して確認応答要求を送信する第2のSTAの数を示す。統計的識別子は、M-BAフレームのトラフィック毎識別子情報の後に配置される。あるいは、統計的識別子は、ブロック確認応答開始シーケンス制御において予約された、M-BAフレームのビットを占有する。
【０１２１】
本発明の本実施形態では、トラフィック毎識別子情報の後に、MACアドレスが続く場合には、一時的識別子／第1のAIDがさらに含まれ得る、または複数のMACアドレスが続く場合、複数の一時的識別子／第1のAIDがさらに含まれ得ることに留意されたい。このケースでは、上記の内容によって必要とされるビット数が8の倍数であることを確保するために、0を入れる必要がある。つまり、1バイトを単位として使用するか、10バイトを単位として使用する。
【０１２２】
以下、アソシエーション確立プロセスを説明する。
【０１２３】
図9は、本発明の一実施形態によるアソシエーション要求メッセージおよびアソシエーション確認応答メッセージの送信の概略図である。本明細書のアソシエーション確認応答メッセージは、1つ以上のアソシエーション確認応答情報を含むM-BAフレームとして解釈されてもよい。図9に示すように、APはトリガフレームをブロードキャストする。トリガフレームは、利用可能なサブチャネルがサブチャネル1からサブチャネル9であることを示す。STA1およびSTA2は、サブチャネル8を使用して、それぞれのアソシエーション要求メッセージを送信する。次いで、APは、M-BAフレームをブロードキャストする。M-BAフレームは、1つ以上のアソシエーション確認応答情報を含む。アソシエーション確認応答情報は、アソシエーション要求メッセージの確認応答情報である。このケースでは、STA1は、アソシエーション確認応答情報を読み出した後に、STA1のMACアドレスを発見する。次いで、STA1は、STA1によって送信されたアソシエーション要求メッセージをAPが正常に受信したと判定し、M-BAフレームはSTA1に対する確認応答情報を含み、STA1は第1のAIDを取得する。
【０１２４】
通常、APによってSTAに送信されたアソシエーション応答メッセージをSTAが受信した後、STAは、APに上りリンク確認応答メッセージを送信することができる。図10は、本発明の一実施形態によるアソシエーション応答メッセージおよび確認応答メッセージの送信の概略図である。図10に示すように、APは、下りリンクのOFDMAを用いてSTA1にアソシエーション応答メッセージを送信する。下りリンクOFDMAにおけるリソース指示ビットは、一時的識別子（第1のAID）を用いて、STA1がサブチャネル上でアソシエーション応答を受信したことを示す。図10に示すように、サブチャネルはサブチャネル8である。サブチャネル選択方法は、STA1がアソシエーション応答を受信するのにどのサブチャネルが良いかに依存することが理解されよう。
【０１２５】
図11は、本発明のさらに別の実施形態によるアソシエーション確立方法の流れ図である。本方法は、APによって行われる。本方法は、以下の手順を特に含む。
【０１２６】
S1101．アクセスポイント（AP）は、1つ以上の第1のステーション（STA）のそれぞれが送信したアソシエーション要求メッセージを受信し、アソシエーション要求メッセージは、第1のSTAによって生成されたトークン識別子を含み、トークン識別子は、第1のSTAを一意に識別するために使用される。
【０１２７】
S1102．APは、マルチブロック確認応答（M-BA）フレームをブロードキャストし、M-BAフレームは、1つ以上のアソシエーション確認応答情報を含み、アソシエーション確認応答情報は、アソシエーション要求メッセージの確認応答情報であり、アソシエーション確認応答情報は、1つ以上の第2のSTAのトークン識別子と、APによって第2のSTAに割り当てられた第1のアソシエーション識別子（AID）とを含み、その結果、第2のSTAは、トークン識別子に従って、第1のAIDを取得し、第2のSTAは、APによって正常に受信されたアソシエーション要求メッセージに対応する第1のSTAである。
【０１２８】
S1103．APは、第1のAIDに従って、対応する第2のSTAにアソシエーション応答メッセージを送信し、アソシエーション応答メッセージは、第2のSTAとAPとの間のアソシエーションが正常に確立されたことを示すために使用され、アソシエーション応答メッセージは、第2のAIDを含み、第2のAIDは、第2のSTAを識別するために使用され、第2のAIDは、第1のAIDと同じでも異なってもよい。
【０１２９】
具体的には、APは、第1のAIDに従って、対応する第2のSTAにアソシエーション応答メッセージをOFDMA方式で送信する。通常、各第1のSTAによって生成されたトークン識別子は11ビットを占有する。従って、トークン識別子は、通常、互いに異なる。第1のSTAによって送信されたアソシエーション要求メッセージを受信すると、APは、各第1のSTAのトークン識別子を取得する。トークン識別子は、APと既にアソシエーションされた別のSTAのAIDと同じであり得ることから、APは、第1のAIDを各第1のSTAに割り当て、M-BAフレームをブロードキャストする。アソシエーション確認応答情報は、1つ以上の第2のSTAのトークン識別子と、APによって第2のSTAに割り当てられた第1のアソシエーション識別子（AID）とを含む。第1のSTAが第1のSTAのトークン識別子を発見した場合、それは、APが第1のSTAからアソシエーション要求メッセージを受信したことを示し、第1のSTAは、M-BAフレームをさらに読み取って、第1のAIDを取得できる。最後に、APは、第1のAIDに従って、対応する第2のSTAにアソシエーション応答メッセージをOFDMA方式で送信する。アソシエーション応答メッセージは、第2のSTAとAPとの間のアソシエーションが正常に確立されたことを示すために使用される。アソシエーション応答メッセージは、第2のAIDを含む。
【０１３０】
本発明の本実施形態は、アソシエーション確立方法を提供する。本方法では、APは、第1のSTAのトークン識別子に従って、第1のSTAに第1のAIDを割り当てる。従って、第1のSTAは、第1のSTAのトークン識別子を第1のSTAが読み取ることを条件に、第1のAIDを取得できる。最後に、APは、第1のAIDに従って、第2のAIDを第1のSTAに割り当てる。このようにして、APは第1のSTAにアソシエーションされ、さらなる通信の信頼性が確保される。
【０１３１】
さらに、アソシエーション要求メッセージは、第1のSTAのMACアドレスをさらに含む。従って、アソシエーション確認応答情報は、第2のSTAのMACアドレスをさらに含むことができる。図12は、本発明の一実施形態によるM-BAフレームの第6の概略的な構成図である。図12に示すように、M-BAフレームは、トークン識別子と第1のAIDとを含む。トークン識別子は、ある機能をさらに有する：トークン識別子は、ある機能をさらに有する：トークン識別子は、トークン識別子を含むアソシエーション確認応答情報が、アソシエーション要求メッセージの確認応答情報であることを示すことができる。場合により、M-BAフレームはMACアドレスをさらに含む。図13は、本発明の一実施形態によるM-BAフレームの第7の概略的な構成図である。図13に示すように、M-BAフレームは、トークン識別子と、複数の第1のAIDと、ダミーのアソシエーション識別子と、を含む。ここでのダミーのアソシエーション識別子は、ダミーのアソシエーション識別子を含むアソシエーション確認応答情報がアソシエーション要求メッセージの確認応答情報であることを識別するために使用される。ダミーのアソシエーション識別子は、0である11のビットを用いて示されてもよいし、APによって指定される特殊識別子であってもよい。場合により、M-BAフレームは複数のMACアドレスをさらに含むことができる。
【０１３２】
本発明の本実施形態では、トラフィック毎識別子情報の後に、トークン識別子および第1のAIDが含まれる場合、MACアドレスが場合により含まれる、または複数のトークン識別子および複数の第1のAIDが含まる場合、複数のMACアドレスが場合により含まれることに留意されたい。このケースでは、上記の内容によって必要とされるビット数が8の倍数であることを確保するために、0を入れる必要がある。つまり、1バイトを単位として使用するか、10バイトを単位として使用する。
【０１３３】
またさらに、M-BAフレームのアソシエーション確認応答情報内のトークン識別子を使用して、アソシエーション確認応答情報がアソシエーション要求メッセージの確認応答情報であると判定できる。あるいは、ダミーのアソシエーション識別子または特殊トラフィック識別子（TID）を使用して、M-BAフレームがアソシエーション要求メッセージの確認応答情報であることを示すこともできる。これは、先の実施形態の方式と具体的には同じである。ここでは細部を繰り返し説明しない。
【０１３４】
またさらに、M-BAフレームのアソシエーション確認応答情報内のトラフィック識別子（TID）の1ビットのアソシエーション確認応答指示を使用して、アソシエーション確認応答情報がアソシエーション要求メッセージの確認応答情報であると判定できる。
【０１３５】
場合により、アソシエーション確認応答情報にある特殊トラフィック識別子（TID）またはTIDの4ビットすべてが、APが同じアソシエーション確認応答情報を使用して確認応答要求を送信する第2のSTAの数を示す。
【０１３６】
場合により、アソシエーション確認応答情報は、統計的識別子をさらに含み、統計的識別子は、APが同じアソシエーション確認応答情報を使用して確認応答要求を送信する第2のSTAの数を示す。統計的識別子は、アソシエーション確認応答情報内のトラフィック毎識別子情報の後に位置しているか、または統計的識別子は、ブロック確認応答開始シーケンス制御において予約された、アソシエーション確認応答情報のビットを占有する。これは、先の実施形態の方式と具体的には同じである。ここでは細部を繰り返し説明しない。
【０１３７】
図14は、本発明のさらに別の実施形態によるアソシエーション確立方法の流れ図である。本方法は、第1のSTAによって行われる。本方法は、以下の手順を特に含む。
【０１３８】
S1401．第1のステーション（STA）は、トークン識別子を生成し、トークン識別子は、第1のSTAを一意に識別するために使用される。
【０１３９】
S1402．第1のSTAは、アクセスポイント（AP）にアソシエーション要求メッセージを送信し、アソシエーション要求メッセージは、第1のSTAによって生成されたトークン識別子を含む。
【０１４０】
S1403．第1のSTAは、APがブロードキャストしたマルチブロック確認応答（M-BA）フレームを受信し、M-BAフレームは、1つ以上のアソシエーション確認応答情報を含み、アソシエーション確認応答情報は、アソシエーション要求メッセージの確認応答情報であり、アソシエーション確認応答情報は、1つ以上の第2のSTAのトークン識別子と、APによって第2のSTAに割り当てられた第1のアソシエーション識別子（AID）とを含み、第2のSTAは、APが正常に受信したアソシエーション要求メッセージに対応するSTAである。
【０１４１】
S1404．第1のSTAが、第1のSTAのトークン識別子がM-BAフレームにあると発見した場合、第1のSTAは、第1のSTAのトークン識別子を含むアソシエーション確認応答情報の第1のAIDを取得する。
【０１４２】
S1405．第1のSTAは、第1のAIDに従って、APが送信したアソシエーション応答メッセージを受信し、アソシエーション応答メッセージは、第1のSTAとAPとの間のアソシエーションが正常に確立されたことを示すために使用され、アソシエーション応答メッセージは、第2のAIDを含み、第2のAIDは、第1のSTAを識別するために使用され、第2のAIDは、第1のAIDと同じでも異なってもよい。
【０１４３】
具体的には、第1のSTAによって生成されたトークン識別子は11ビットを占有する。第1のSTAは、APが送信したM-BAフレームを受信した場合、M-BAフレーム内のBA／ACK Info内のトラフィック毎識別子情報に第1のSTAのトークン識別子があるかどうかをまず確認する。第1のSTAのトークン識別子がトラフィック毎識別子情報内にある場合、第1のSTAは、トラフィック毎識別子情報の後に位置する第1のAIDをさらに読み取る。第1のAIDは、APによって第1のSTAに割り当てられる。次いで、第1のSTAは、第1のAIDに従ってAPによってOFDMA方式で送信されるアソシエーション応答メッセージを受信する。アソシエーション応答メッセージは、第1のSTAとAPとの間のアソシエーションが正常に確立されたことを示すために使用される。アソシエーション応答メッセージは、第2のAIDを含み、第2のAIDは、第1のSTAを識別するために使用され、第2のAIDは、第1のAIDと同じでも異なってもよい。
【０１４４】
本発明の本実施形態は、アソシエーション確立方法を提供する。本方法では、第1のSTAは、トークン識別子を生成し、その結果、APは、第1のSTAのトークン識別子に従って、第1のSTAに第1のAIDを割り当てる。このようにして、第1のSTAは、第1のSTAのトークン識別子を第1のSTAが読み取ることを条件に、第1のAIDを取得できる。このケースでは、第1のSTAは第2のSTAに変換される。最後に、APは、第1のAIDに従って、第2のSTAにアソシエーション応答をOFDMAにより送信し、第2のAIDを第2のSTAに割り当てる。このようにして、APは第1のSTAにアソシエーションされ、さらなる通信の信頼性が確保される。
【０１４５】
さらに、アソシエーション要求メッセージは、第1のSTAのMACアドレスをさらに含む。従って、アソシエーション確認応答情報は、第2のSTAのMACアドレスをさらに含む。
【０１４６】
またさらに、M-BAフレームのアソシエーション確認応答情報内のトークン識別子を使用して、アソシエーション確認応答情報がアソシエーション要求メッセージの確認応答情報であると判定できる。あるいは、ダミーのアソシエーション識別子または特殊トラフィック識別子（TID）を使用して、M-BAフレームがアソシエーション要求メッセージの確認応答情報であることを示すこともできる。これは、先の実施形態の方式と具体的には同じである。ここでは細部を繰り返し説明しない。
【０１４７】
またさらに、M-BAフレームのアソシエーション確認応答情報内のトラフィック識別子（TID）の1ビットのアソシエーション確認応答指示を使用して、アソシエーション確認応答情報がアソシエーション要求メッセージの確認応答情報であると判定できる。
【０１４８】
場合により、アソシエーション確認応答情報にある特殊トラフィック識別子（TID）またはTIDの4ビットすべてが、APが同じアソシエーション確認応答情報を使用して確認応答要求を送信する第2のSTAの数を示す。
【０１４９】
場合により、アソシエーション確認応答情報は、統計的識別子をさらに含み、統計的識別子は、APが同じアソシエーション確認応答情報を使用して確認応答要求を送信する第2のSTAの数を示す。統計的識別子は、アソシエーション確認応答情報のトラフィック毎識別子情報の後に配置される。あるいは、統計的識別子は、ブロック確認応答開始シーケンス制御において予約された、アソシエーション確認応答情報のビットを占有する。これは、先の実施形態の方式と具体的には同じである。ここでは細部を繰り返し説明しない。
【０１５０】
図15は、本発明の一実施形態によるアソシエーション確立装置の第1の概略的な構成図である。装置は、アクセスポイント（AP）であり、かつ
トリガフレームをブロードキャストするように構成されたブロードキャストモジュール1501であって、トリガフレームは、1つ以上の利用可能なサブチャネルを示すため、かつ複数の第1のステーション（STA）を始動して上りリンクデータ伝送を同時に行わせるために使用される、ブロードキャストモジュール1501と、
対応する利用可能なサブチャネル上で複数の第1のSTAのそれぞれが送信したアソシエーション要求メッセージを受信するように構成された受信モジュール1502であって、アソシエーション要求メッセージは、第1のSTAの媒体アクセス制御（MAC）アドレスを含み、
ブロードキャストモジュール1501は、マルチブロック確認応答（M-BA）フレームをブロードキャストするようにさらに構成され、M-BAフレームは、1つ以上のアソシエーション確認応答情報を含み、アソシエーション確認応答情報は、アソシエーション要求メッセージの確認応答情報であり、
トリガフレームが、APによって各利用可能なサブチャネルに割り当てられた一時的識別子を含む場合、アソシエーション確認応答情報は、1つ以上の第2のSTAのMACアドレスを含み、その結果、各第2のSTAは、アソシエーション確認応答情報が、APによって第2のSTAに送信された確認応答情報であると判定し、かつ対応する利用可能なサブチャネルの一時的識別子を第2のSTAの第1のAIDとして使用し、第2のSTAは、APが正常に受信したアソシエーション要求メッセージに対応する第1のSTAであり、
そうではない場合、アソシエーション確認応答情報は、1つ以上の第2のSTAのMACアドレスと、APによって第2のSTAに割り当てられた第1のAIDとを含む、受信モジュール1502と、
第1のAIDに従って、対応する第2のSTAにアソシエーション応答メッセージを送信するように構成された送信モジュール1503であって、アソシエーション応答メッセージは、第2のSTAとAPとの間のアソシエーションが正常に確立されたことを示すために使用され、アソシエーション応答メッセージは、第2のAIDを含み、第2のAIDは、第2のSTAを識別するために使用され、第2のAIDは、第1のAIDと同じでも異なってもよい、送信モジュール1503と、
を備える。
【０１５１】
本実施形態で提供されるアソシエーション確立装置は、図2に示す実施形態における方法ステップを行うように構成することができる。その実施原理および技術的な効果は同様であり、ここでは細部を繰り返し説明しない。
【０１５２】
さらに、トリガフレームが、APによって各利用可能なサブチャネルに割り当てられた一時的識別子を含む場合、アソシエーション確認応答情報は、第2のSTAに対応する利用可能なサブチャネルの一時的識別子をさらに含む。
【０１５３】
任意の方式では、アソシエーション確認応答情報に含まれる一時的識別子は、アソシエーション確認応答情報がアソシエーション要求メッセージの確認応答情報であることを示すためにさらに使用される。
【０１５４】
別の任意の方式では、アソシエーション確認応答情報は、ダミーのアソシエーション識別子をさらに含み、ダミーのアソシエーション識別子は、アソシエーション確認応答情報がアソシエーション要求メッセージの確認応答情報であることを示すために使用される。
【０１５５】
さらに別の任意の方式では、アソシエーション確認応答情報の特殊トラフィック識別子（TID）は、アソシエーション確認応答情報がアソシエーション要求メッセージの確認応答情報であることを示すためにさらに使用される。
【０１５６】
さらに別の任意の方式では、アソシエーション確認応答情報のトラフィック識別子（TID）の1ビットは、アソシエーション確認応答情報がアソシエーション要求メッセージの確認応答情報であることを示すためにさらに使用される。
【０１５７】
またさらに、アソシエーション確認応答情報にある特殊トラフィック識別子（TID）またはTIDの4ビットすべてが、APが同じアソシエーション確認応答情報を使用して確認応答要求を送信する第2のSTAの数を示す。
【０１５８】
あるいは、アソシエーション確認応答情報は、統計的識別子をさらに含み、統計的識別子は、APが同じアソシエーション確認応答情報を使用して確認応答要求を送信する第2のSTAの数を示す。統計的識別子は、アソシエーション確認応答情報内のトラフィック毎識別子情報の後に位置しているか、または統計的識別子は、ブロック確認応答開始シーケンス制御において予約された、アソシエーション確認応答情報のビットを占有する。
【０１５９】
図16は、本発明の一実施形態によるアソシエーション確立装置の第2の概略的な構成図である。装置は、第1のステーション（STA）であり、かつ
アクセスポイント（AP）がブロードキャストしたトリガフレームを受信するように構成された受信モジュール1601であって、トリガフレームは、1つ以上の利用可能なサブチャネルを示すため、かつ複数の第1のステーション（STA）を始動して上りリンクデータ伝送を同時に行わせるために使用される、受信モジュール1601と、
対応する利用可能なサブチャネル上でアソシエーション要求メッセージを送信するように構成された送信モジュール1602であって、アソシエーション要求メッセージは、第1のSTAの媒体アクセス制御（MAC）アドレスを含み、
受信モジュール1601は、APがブロードキャストしたマルチブロック確認応答（M-BA）フレームを受信するようにさらに構成され、M-BAフレームは、1つ以上のアソシエーション確認応答情報を含み、アソシエーション確認応答情報は、アソシエーション要求メッセージの確認応答情報である、送信モジュール1602と、
を備え、
本装置は、検索モジュール1603と、判定モジュール1604と、取得モジュール1605と、をさらに備え、
トリガフレームが、APによって各利用可能なサブチャネルに割り当てられた一時的識別子を含む場合、M-BAフレームは、1つ以上の第2のSTAのMACアドレスを含み、検索モジュール1603が、第1のSTAのMACアドレスがM-BAフレームにあると発見した場合、判定モジュール1604は、アソシエーション確認応答情報が、APによって判定モジュール1604に送信された確認応答情報であると判定し、かつ対応する利用可能なサブチャネルの一時的識別子を判定モジュール1604の第1のAIDとして使用し、
そうではない場合、M-BAフレームは、1つ以上の第2のSTAのMACアドレスと、APによって第2のSTAに割り当てられた第1のAIDとを含み、検索モジュール1603が、第1のSTAのMACアドレスがM-BAフレームにあると発見した場合、取得モジュール1605は、第1のSTAのMACアドレスに対応する第1のAIDを取得し、第2のSTAは、APが正常に受信したアソシエーション要求メッセージに対応するSTAであり、
受信モジュール1601は、第1のAIDに従って、APが送信したアソシエーション応答メッセージを受信するようにさらに構成され、アソシエーション応答メッセージは、第1のSTAとAPとの間のアソシエーションが正常に確立されたことを示すために使用され、アソシエーション応答メッセージは、第2のAIDを含み、第2のAIDは、第1のSTAを識別するために使用され、第2のAIDは、第1のAIDと同じでも異なってもよい。
【０１６０】
本実施形態で提供されるアソシエーション確立装置は、図8に示す実施形態における方法ステップを行うように構成することができる。その実施原理および技術的な効果は同様であり、ここでは細部を繰り返し説明しない。
【０１６１】
さらに、トリガフレームが、APによって各利用可能なサブチャネルに割り当てられた一時的識別子を含む場合、アソシエーション確認応答情報は、第2のSTAに対応する利用可能なサブチャネルの一時的識別子をさらに含む。
【０１６２】
任意の方式では、アソシエーション確認応答情報に含まれる一時的識別子は、アソシエーション確認応答情報がアソシエーション要求メッセージの確認応答情報であることを示すためにさらに使用される。
【０１６３】
別の任意の方式では、アソシエーション確認応答情報は、ダミーのアソシエーション識別子をさらに含み、ダミーのアソシエーション識別子は、アソシエーション確認応答情報がアソシエーション要求メッセージの確認応答情報であることを示すために使用される。
【０１６４】
さらに別の任意の方式では、アソシエーション確認応答情報の特殊トラフィック識別子（TID）は、アソシエーション確認応答情報がアソシエーション要求メッセージの確認応答情報であることを示すためにさらに使用される。
【０１６５】
さらに別の任意の方式では、アソシエーション確認応答情報のトラフィック識別子（TID）の1ビットは、アソシエーション確認応答情報がアソシエーション要求メッセージの確認応答情報であることを示すためにさらに使用される。
【０１６６】
またさらに、アソシエーション確認応答情報にある特殊トラフィック識別子（TID）またはTIDの4ビットすべてが、APが同じアソシエーション確認応答情報を使用して確認応答要求を送信する第2のSTAの数を示す。アソシエーション確認応答情報は、統計的識別子をさらに含み、統計的識別子は、APが同じアソシエーション確認応答情報を使用して確認応答要求を送信する第2のSTAの数を示す。統計的識別子は、アソシエーション確認応答情報のトラフィック毎識別子情報の後に配置される。あるいは、統計的識別子は、ブロック確認応答開始シーケンス制御において予約された、アソシエーション確認応答情報のビットを占有する。
【０１６７】
図17は、本発明の一実施形態によるアソシエーション確立装置の第3の概略的な構成図である。装置は、アクセスポイント（AP）であり、かつ
1つ以上の第1のステーション（STA）のそれぞれが送信したアソシエーション要求メッセージを受信するように構成された受信モジュール1701であって、アソシエーション要求メッセージは、第1のSTAによって生成されたトークン識別子を含み、トークン識別子は、第1のSTAを一意に識別するために使用される、受信モジュール1701と、
マルチブロック確認応答（M-BA）フレームをブロードキャストするように構成されたブロードキャストモジュール1702であって、M-BAフレームは、1つ以上のアソシエーション確認応答情報を含み、アソシエーション確認応答情報は、アソシエーション要求メッセージの確認応答情報であり、
アソシエーション確認応答情報は、1つ以上の第2のSTAのトークン識別子と、APによって第2のSTAに割り当てられた第1のアソシエーション識別子（AID）とを含み、その結果、第2のSTAは、トークン識別子に従って、第1のAIDを取得し、第2のSTAは、APによって正常に受信されたアソシエーション要求メッセージに対応する第1のSTAである、ブロードキャストモジュール1702と、
第1のAIDに従って、対応する第2のSTAにアソシエーション応答メッセージを送信するように構成された送信モジュール1703であって、アソシエーション応答メッセージは、第2のSTAとAPとの間のアソシエーションが正常に確立されたことを示すために使用され、アソシエーション応答メッセージは、第2のAIDを含み、第2のAIDは、第2のSTAを識別するために使用され、第2のAIDは、第1のAIDと同じでも異なってもよい、送信モジュール1703と、
を備える。
【０１６８】
本実施形態で提供されるアソシエーション確立装置は、図13に示す実施形態における方法ステップを行うように構成することができる。その実施原理および技術的な効果は同様であり、ここでは細部を繰り返し説明しない。
【０１６９】
さらに、アソシエーション要求メッセージは、第1のSTAのMACアドレスをさらに含む。アソシエーション確認応答情報は、第2のSTAのMACアドレスをさらに含む。
【０１７０】
任意の方式では、アソシエーション確認応答情報にある特殊トラフィック識別子（TID）またはTIDの4ビットすべてが、APが同じアソシエーション確認応答情報を使用して確認応答要求を送信する第2のSTAの数を示す。
【０１７１】
別の任意の方式では、アソシエーション確認応答情報は、統計的識別子をさらに含み、統計的識別子は、APが同じアソシエーション確認応答情報を使用して確認応答要求を送信する第2のSTAの数を示す。統計的識別子は、アソシエーション確認応答情報のトラフィック毎識別子情報の後に配置される。あるいは、統計的識別子は、ブロック確認応答開始シーケンス制御において予約された、アソシエーション確認応答情報のビットを占有する。
【０１７２】
図18は、本発明の一実施形態によるアソシエーション確立装置の第4の概略的な構成図である。装置は、第1のステーション（STA）であり、かつ
トークン識別子を生成するように構成された生成モジュール1801であって、トークン識別子は、第1のSTAを一意に識別するために使用される、生成モジュール1801と、
アクセスポイント（AP）にアソシエーション要求メッセージを送信するように構成された送信モジュール1802であって、アソシエーション要求メッセージは、生成モジュール1801によって生成されたトークン識別子を含む、送信モジュール1802と、
APがブロードキャストしたマルチブロック確認応答（M-BA）フレームを受信するように構成された受信モジュール1803であって、M-BAフレームは、1つ以上のアソシエーション確認応答情報を含み、アソシエーション確認応答情報は、アソシエーション要求メッセージの確認応答情報であり、アソシエーション確認応答情報は、1つ以上の第2のSTAのトークン識別子と、APによって第2のSTAに割り当てられた第1のアソシエーション識別子（AID）とを含み、第2のSTAは、APが正常に受信したアソシエーション要求メッセージに対応するSTAである、受信モジュール1803と、
検索モジュール1804であって、検索モジュール1804のトークン識別子がM-BAフレームにあると検索モジュール1804が発見した場合、検索モジュール1804のトークン識別子を含むアソシエーション確認応答情報の第1のAIDを取得するように構成された、検索モジュール1804と、
を備え、
受信モジュール1803は、第1のAIDに従って、APが送信したアソシエーション応答メッセージを受信するようにさらに構成され、アソシエーション応答メッセージは、第1のSTAとAPとの間のアソシエーションが正常に確立されたことを示すために使用され、アソシエーション応答メッセージは、第2のAIDを含み、第2のAIDは、第1のSTAを識別するために使用され、第2のAIDは、第1のAIDと同じでも異なってもよい。
【０１７３】
本実施形態で提供されるアソシエーション確立装置は、図14に示す実施形態における方法ステップを行うように構成することができる。その実施原理および技術的な効果は同様であり、ここでは細部を繰り返し説明しない。
【０１７４】
さらに、アソシエーション要求メッセージは、第1のSTAの媒体アクセス制御（MAC）アドレスをさらに含む。アソシエーション確認応答情報は、第2のSTAのMACアドレスをさらに含む。
【０１７５】
任意の方式では、アソシエーション確認応答情報にある特殊トラフィック識別子（TID）またはTIDの4ビットすべてが、APが同じアソシエーション確認応答情報を使用して確認応答要求を送信する第2のSTAの数を示す。
【０１７６】
別の任意の方式では、アソシエーション確認応答情報は、統計的識別子をさらに含み、統計的識別子は、APが同じアソシエーション確認応答情報を使用して確認応答要求を送信する第2のSTAの数を示す。統計的識別子は、アソシエーション確認応答情報のトラフィック毎識別子情報の後に配置される。あるいは、統計的識別子は、ブロック確認応答開始シーケンス制御において予約された、アソシエーション確認応答情報のビットを占有する。
【０１７７】
図19は、本発明の一実施形態によるアソシエーション確立装置の第5の概略的な構成図である。装置は、アクセスポイント（AP）であり、かつ
トリガフレームをブロードキャストするように構成されたプロセッサ1901であって、トリガフレームは、1つ以上の利用可能なサブチャネルを示すため、かつ複数の第1のステーション（STA）を始動して上りリンクデータ伝送を同時に行わせるために使用される、プロセッサ1901と、
対応する利用可能なサブチャネル上で複数の第1のSTAのそれぞれが送信したアソシエーション要求メッセージを受信するように構成された受信機1902であって、アソシエーション要求メッセージは、第1のSTAの媒体アクセス制御（MAC）アドレスを含み、
プロセッサ1901は、マルチブロック確認応答（M-BA）フレームをブロードキャストするようにさらに構成され、M-BAフレームは、1つ以上のアソシエーション確認応答情報を含み、アソシエーション確認応答情報は、アソシエーション要求メッセージの確認応答情報であり、
トリガフレームが、APによって各利用可能なサブチャネルに割り当てられた一時的識別子を含む場合、アソシエーション確認応答情報は、1つ以上の第2のSTAのMACアドレスを含み、その結果、各第2のSTAは、アソシエーション確認応答情報が、APによって第2のSTAに送信された確認応答情報であると判定し、かつ対応する利用可能なサブチャネルの一時的識別子を第2のSTAの第1のAIDとして使用し、第2のSTAは、APが正常に受信したアソシエーション要求メッセージに対応する第1のSTAであり、
そうではない場合、アソシエーション確認応答情報は、1つ以上の第2のSTAのMACアドレスと、APによって第2のSTAに割り当てられた第1のAIDとを含む、受信機1902と、
第1のAIDに従って、対応する第2のSTAにアソシエーション応答メッセージを送信するように構成された送信機1903であって、アソシエーション応答メッセージは、第2のSTAとAPとの間のアソシエーションが正常に確立されたことを示すために使用され、アソシエーション応答メッセージは、第2のAIDを含み、第2のAIDは、第2のSTAを識別するために使用され、第2のAIDは、第1のAIDと同じでも異なってもよい、送信機1903と、
を備える。
【０１７８】
本実施形態で提供されるアソシエーション確立装置は、図2に示す実施形態における方法ステップを行うように構成することができる。その実施原理および技術的な効果は同様であり、ここでは細部を繰り返し説明しない。
【０１７９】
さらに、トリガフレームが、APによって各利用可能なサブチャネルに割り当てられた一時的識別子を含む場合、アソシエーション確認応答情報は、第2のSTAに対応する利用可能なサブチャネルの一時的識別子をさらに含む。
【０１８０】
任意の方式では、アソシエーション確認応答情報に含まれる一時的識別子は、アソシエーション確認応答情報がアソシエーション要求メッセージの確認応答情報であることを示すためにさらに使用される。
【０１８１】
別の任意の方式では、アソシエーション確認応答情報は、ダミーのアソシエーション識別子をさらに含み、ダミーのアソシエーション識別子は、アソシエーション確認応答情報がアソシエーション要求メッセージの確認応答情報であることを示すために使用される。
【０１８２】
さらに別の任意の方式では、アソシエーション確認応答情報の特殊トラフィック識別子（TID）は、アソシエーション確認応答情報がアソシエーション要求メッセージの確認応答情報であることを示すためにさらに使用される。
【０１８３】
さらに別の任意の方式では、アソシエーション確認応答情報のトラフィック識別子（TID）の1ビットは、アソシエーション確認応答情報がアソシエーション要求メッセージの確認応答情報であることを示すためにさらに使用される。
【０１８４】
またさらに、アソシエーション確認応答情報にある特殊トラフィック識別子（TID）またはTIDの4ビットすべてが、APが同じアソシエーション確認応答情報を使用して確認応答要求を送信する第2のSTAの数を示す。
【０１８５】
あるいは、アソシエーション確認応答情報は、統計的識別子をさらに含み、統計的識別子は、APが同じアソシエーション確認応答情報を使用して確認応答要求を送信する第2のSTAの数を示す。統計的識別子は、アソシエーション確認応答情報内のトラフィック毎識別子情報の後に位置しているか、または統計的識別子は、ブロック確認応答開始シーケンス制御において予約された、アソシエーション確認応答情報のビットを占有する。
【０１８６】
図20は、本発明の一実施形態によるアソシエーション確立装置の第6の概略的な構成図である。装置は、第1のステーション（STA）であり、かつ
アクセスポイント（AP）がブロードキャストしたトリガフレームを受信するように構成された受信機2001であって、トリガフレームは、1つ以上の利用可能なサブチャネルを示すため、かつ複数の第1のステーション（STA）を始動して上りリンクデータ伝送を同時に行わせるために使用される、受信機2001と、
対応する利用可能なサブチャネル上でアソシエーション要求メッセージを送信するように構成された送信機2002であって、アソシエーション要求メッセージは、第1のSTAの媒体アクセス制御（MAC）アドレスを含み、
受信機2001は、APがブロードキャストしたマルチブロック確認応答（M-BA）フレームを受信するようにさらに構成され、M-BAフレームは、1つ以上のアソシエーション確認応答情報を含み、アソシエーション確認応答情報は、アソシエーション要求メッセージの確認応答情報である、送信機2002と、
を備え、
本装置は、プロセッサ2003をさらに備え、
トリガフレームが、APによって各利用可能なサブチャネルに割り当てられた一時的識別子を含む場合、M-BAフレームは、1つ以上の第2のSTAのMACアドレスを含み、プロセッサ2003が、第1のSTAのMACアドレスがM-BAフレームにあると発見した場合、プロセッサ2003は、アソシエーション確認応答情報が、APによってプロセッサ2003に送信された確認応答情報であると判定し、かつ対応する利用可能なサブチャネルの一時的識別子をプロセッサ2003の第1のAIDとして使用し、
そうではない場合、M-BAフレームは、1つ以上の第2のSTAのMACアドレスと、APによって第2のSTAに割り当てられた第1のAIDとを含み、プロセッサ2003が、第1のSTAのMACアドレスがM-BAフレームにあると発見した場合、プロセッサ2003は、第1のSTAのMACアドレスに対応する第1のAIDを取得し、第2のSTAは、APが正常に受信したアソシエーション要求メッセージに対応するSTAであり、
受信機2001は、第1のAIDに従って、APが送信したアソシエーション応答メッセージを受信するようにさらに構成され、アソシエーション応答メッセージは、第1のSTAとAPとの間のアソシエーションが正常に確立されたことを示すために使用され、アソシエーション応答メッセージは、第2のAIDを含み、第2のAIDは、第1のSTAを識別するために使用され、第2のAIDは、第1のAIDと同じでも異なってもよい。
【０１８７】
本実施形態で提供されるアソシエーション確立装置は、図8に示す実施形態における方法ステップを行うように構成することができる。その実施原理および技術的な効果は同様であり、ここでは細部を繰り返し説明しない。
【０１８８】
さらに、トリガフレームが、APによって各利用可能なサブチャネルに割り当てられた一時的識別子を含む場合、アソシエーション確認応答情報は、第2のSTAに対応する利用可能なサブチャネルの一時的識別子をさらに含む。
【０１８９】
任意の方式では、アソシエーション確認応答情報に含まれる一時的識別子は、アソシエーション確認応答情報がアソシエーション要求メッセージの確認応答情報であることを示すためにさらに使用される。
【０１９０】
別の任意の方式では、アソシエーション確認応答情報は、ダミーのアソシエーション識別子をさらに含み、ダミーのアソシエーション識別子は、アソシエーション確認応答情報がアソシエーション要求メッセージの確認応答情報であることを示すために使用される。
【０１９１】
さらに別の任意の方式では、アソシエーション確認応答情報の特殊トラフィック識別子（TID）は、アソシエーション確認応答情報がアソシエーション要求メッセージの確認応答情報であることを示すためにさらに使用される。
【０１９２】
さらに別の任意の方式では、アソシエーション確認応答情報のトラフィック識別子（TID）の1ビットは、アソシエーション確認応答情報がアソシエーション要求メッセージの確認応答情報であることを示すためにさらに使用される。
【０１９３】
またさらに、アソシエーション確認応答情報にある特殊トラフィック識別子（TID）またはTIDの4ビットすべてが、APが同じアソシエーション確認応答情報を使用して確認応答要求を送信する第2のSTAの数を示す。アソシエーション確認応答情報は、統計的識別子をさらに含み、統計的識別子は、APが同じアソシエーション確認応答情報を使用して確認応答要求を送信する第2のSTAの数を示す。統計的識別子は、アソシエーション確認応答情報のトラフィック毎識別子情報の後に配置される。あるいは、統計的識別子は、ブロック確認応答開始シーケンス制御において予約された、アソシエーション確認応答情報のビットを占有する。
【０１９４】
図21は、本発明の一実施形態によるアソシエーション確立装置の第7の概略的な構成図である。装置は、アクセスポイント（AP）であり、かつ
1つ以上の第1のステーション（STA）のそれぞれが送信したアソシエーション要求メッセージを受信するように構成された受信機2101であって、アソシエーション要求メッセージは、第1のSTAによって生成されたトークン識別子を含み、トークン識別子は、第1のSTAを一意に識別するために使用される、受信機2101と、
マルチブロック確認応答（M-BA）フレームをブロードキャストするように構成されたプロセッサ2102であって、M-BAフレームは、1つ以上のアソシエーション確認応答情報を含み、アソシエーション確認応答情報は、アソシエーション要求メッセージの確認応答情報であり、
アソシエーション確認応答情報は、1つ以上の第2のSTAのトークン識別子と、APによって第2のSTAに割り当てられた第1のアソシエーション識別子（AID）とを含み、その結果、第2のSTAは、トークン識別子に従って、第1のAIDを取得し、第2のSTAは、APによって正常に受信されたアソシエーション要求メッセージに対応する第1のSTAである、プロセッサ2102と、
第1のAIDに従って、対応する第2のSTAにアソシエーション応答メッセージを送信するように構成された送信機2103であって、アソシエーション応答メッセージは、第2のSTAとAPとの間のアソシエーションが正常に確立されたことを示すために使用され、アソシエーション応答メッセージは、第2のAIDを含み、第2のAIDは、第2のSTAを識別するために使用され、第2のAIDは、第1のAIDと同じでも異なってもよい、送信機2103と、
を備える。
【０１９５】
本実施形態で提供されるアソシエーション確立装置は、図13に示す実施形態における方法ステップを行うように構成することができる。その実施原理および技術的な効果は同様であり、ここでは細部を繰り返し説明しない。
【０１９６】
さらに、アソシエーション要求メッセージは、第1のSTAのMACアドレスをさらに含む。アソシエーション確認応答情報は、第2のSTAのMACアドレスをさらに含む。
【０１９７】
任意の方式では、アソシエーション確認応答情報にある特殊トラフィック識別子（TID）またはTIDの4ビットすべてが、APが同じアソシエーション確認応答情報を使用して確認応答要求を送信する第2のSTAの数を示す。
【０１９８】
別の任意の方式では、アソシエーション確認応答情報は、統計的識別子をさらに含み、統計的識別子は、APが同じアソシエーション確認応答情報を使用して確認応答要求を送信する第2のSTAの数を示す。統計的識別子は、アソシエーション確認応答情報のトラフィック毎識別子情報の後に配置される。あるいは、統計的識別子は、ブロック確認応答開始シーケンス制御において予約された、アソシエーション確認応答情報のビットを占有する。
【０１９９】
図22は、本発明の一実施形態によるアソシエーション確立装置の第8の概略的な構成図である。装置は、第1のステーション（STA）であり、かつ
トークン識別子を生成するように構成されたプロセッサ2201であって、トークン識別子は、第1のSTAを一意に識別するために使用される、プロセッサ2201と、
アクセスポイント（AP）にアソシエーション要求メッセージを送信するように構成された送信機2202であって、アソシエーション要求メッセージは、プロセッサ2201によって生成されたトークン識別子を含む、送信機2202と、
APがブロードキャストしたマルチブロック確認応答（M-BA）フレームを受信するように構成された受信機2203であって、M-BAフレームは、1つ以上のアソシエーション確認応答情報を含み、アソシエーション確認応答情報は、アソシエーション要求メッセージの確認応答情報であり、アソシエーション確認応答情報は、1つ以上の第2のSTAのトークン識別子と、APによって第2のSTAに割り当てられた第1のアソシエーション識別子（AID）とを含み、第2のSTAは、APが正常に受信したアソシエーション要求メッセージに対応するSTAである、受信機2203と、
を備え、
プロセッサ2201は、プロセッサ2201のトークン識別子がM-BAフレームにあるとプロセッサ2201が発見した場合、プロセッサ2201のトークン識別子を含むアソシエーション確認応答情報の第1のAIDを取得するようにさらに構成され、
受信機2203は、第1のAIDに従って、APが送信したアソシエーション応答メッセージを受信するようにさらに構成され、アソシエーション応答メッセージは、第1のSTAとAPとの間のアソシエーションが正常に確立されたことを示すために使用され、アソシエーション応答メッセージは、第2のAIDを含み、第2のAIDは、第1のSTAを識別するために使用され、第2のAIDは、第1のAIDと同じでも異なってもよい。
【０２００】
本実施形態で提供されるアソシエーション確立装置は、図14に示す実施形態における方法ステップを行うように構成することができる。その実施原理および技術的な効果は同様であり、ここでは細部を繰り返し説明しない。
【０２０１】
さらに、アソシエーション要求メッセージは、第1のSTAの媒体アクセス制御（MAC）アドレスをさらに含む。アソシエーション確認応答情報は、第2のSTAのMACアドレスをさらに含む。
【０２０２】
任意の方式では、アソシエーション確認応答情報にある特殊トラフィック識別子（TID）またはTIDの4ビットすべてが、APが同じアソシエーション確認応答情報を使用して確認応答要求を送信する第2のSTAの数を示す。
【０２０３】
別の任意の方式では、アソシエーション確認応答情報は、統計的識別子をさらに含み、統計的識別子は、APが同じアソシエーション確認応答情報を使用して確認応答要求を送信する第2のSTAの数を示す。統計的識別子は、アソシエーション確認応答情報のトラフィック毎識別子情報の後に配置される。あるいは、統計的識別子は、ブロック確認応答開始シーケンス制御において予約された、アソシエーション確認応答情報のビットを占有する。
【０２０４】
当業者であれば、各方法実施形態の各ステップの全部または一部を関連ハードウェアに命令するプログラムによって実現することができることを理解するはずである。プログラムは、コンピュータ可読記憶媒体に記憶することができる。プログラムが走ると、方法実施形態の各ステップが実行される。上記の記憶媒体は、ROM、RAM、磁気ディスク、または光ディスクなどのプログラムコードを記憶することのできる任意の媒体を含む。
【０２０５】
最後に、上記実施形態は、本発明を限定するためのものではく、単に本発明の技術的解決策を説明するためのものにすぎないことに留意されたい。本発明は上記実施形態に関連して詳細に説明されているが、当業者は、本発明の実施形態の技術的解決策の範囲を逸脱することなく、さらに、前述の実施形態に記述されている技術的解決策に改変を加え、あるいは、前述の実施形態の一部またはすべての技術的特徴に対する等価の置換を行うことができることを理解するはずである。
【符号の説明】
【０２０６】
1501  ブロードキャストモジュール
1502  受信モジュール
1503  送信モジュール
1601  受信モジュール
1602  送信モジュール
1603  検索モジュール
1604  判定モジュール
1605  取得モジュール
1701  受信モジュール
1702  ブロードキャストモジュール
1703  送信モジュール
1801  生成モジュール
1802  送信モジュール
1803  受信モジュール
1804  検索モジュール
1901  プロセッサ
1902  受信機
1903  送信機
2001  受信機
2002  送信機
2003  プロセッサ
2101  受信機
2102  プロセッサ
2103  送信機
2201  プロセッサ
2202  送信機
2203  受信機
【図１】
0006573290.tif 000002
【図２】
0006573290.tif 000003
【図３Ａ】
0006573290.tif 000004
【図３Ｂ】
0006573290.tif 000005
【図４】
0006573290.tif 000006
【図５】
0006573290.tif 000007
【図６】
0006573290.tif 000008
【図７】
0006573290.tif 000009
【図８】
0006573290.tif 000010
【図９】
0006573290.tif 000011
【図１０】
0006573290.tif 000012
【図１１】
0006573290.tif 000013
【図１２】
0006573290.tif 000014
【図１３】
0006573290.tif 000015
【図１４】
0006573290.tif 000016
【図１５】
0006573290.tif 000017
【図１６】
0006573290.tif 000018
【図１７】
0006573290.tif 000019
【図１８】
0006573290.tif 000020
【図１９】
0006573290.tif 000021
【図２０】
0006573290.tif 000022
【図２１】
0006573290.tif 000023
【図２２】
0006573290.tif 000024
【図２３】
0006573290.tif 000025